(57)【要約】【課題】  従来技術の洗浄槽内の食器置きに配置した食器等の洗浄対象物の洗浄をする食器洗浄装置は、洗浄効率が悪い。例えば、汚れの程度が悪い食器も、汚れのソフトの食器も、同時に、同じ汚れの程度が悪い食器の条件で洗浄を実施する。【解決手段】  配置面と配置面より直接的に洗浄する洗浄手段を一体化形成して洗浄対象物に対応して配置面と洗浄手段を伸縮或は着脱する作業を１つの作業にした食器置きの個別或はグループ別に洗浄条件を変更する手段を設け同時に異なる洗浄条件で洗浄する手段を設けた食器洗浄装置。【選択図】  図２７
2020081035.tif 000002
【特許請求の範囲】
【請求項１】
洗浄槽内の大皿及びお椀及び茶碗を含む洗浄対象物を配置する部である食器置きの洗浄対象物を配置する面である配置面に配置した洗浄対象物の洗浄を自動で実施する食器洗浄装置において、配置面と配置面より直接的に洗浄する洗浄手段を一体化形成して洗浄対象物に対応して配置面と洗浄手段を伸縮或は着脱する作業を１つの作業にした食器置きの個別或はグループ別に洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替えのいずれかの１つ或は複数の洗浄条件を変更する手段を設け同時に異なる洗浄条件で洗浄する手段を設けた食器洗浄装置。
【請求項２】
食器置きを倒して複数段を洗浄槽内に設置する為の食器置き止めを高さ方向に等間隔に複数段を設け、洗浄対象物の全ての内側方向の全面と相対して配置できる全面が平らな配置面の食器置きを洗浄槽内に倒して複数段を食器置き止めに設置する手段を設けた請求項１の食器洗浄装置。
【請求項３】
食器置きを立てて複数列を洗浄槽内に設置する為の食器置き止めを水平方向に等間隔に複数列を設け、洗浄対象物の全ての内側方向の全面と相対して配置できる全面が平らな配置面の食器置きを洗浄槽内に立てて複数列を食器置き止めに設置する手段を設けた請求項１の食器洗浄装置。
【請求項４】
食器置きを倒して複数段を洗浄槽内に設置する為の食器置き止めを高さ方向に等間隔に複数段を設け、洗浄対象物の全ての内側方向の全面と相対して配置できる全面が平らな配置面の食器置きを洗浄対象物の個別の厚みに対応して適合する位置の食器置き止めを選択して設置する手段を設けた請求項１の食器洗浄装置。
【請求項５】
食器置きを立てて複数列を洗浄槽内に設置する為の食器置き止めを水平方向に等間隔に複数列を設け、皿の全ての内側方向の全面と相対して配置できる全面が平らな配置面と配置面より直接的に洗浄する洗浄手段を一体化形成して皿の口縁の広さに合わせて同時に伸縮する手段或は皿の配置時に同時に短縮する手段を備えた食器置きを立てて複数列を食器置き止めに設置する手段を設けた請求項１の食器洗浄装置。
【請求項６】
配置した皿の全ての内側方向の全面と相対して配置できる全面が平らな配置面の食器置きであり、洗浄水を供給するための噴出孔を等間隔に設け配置した皿の全ての内側方向の全面と洗浄手段が相対して洗浄できる手段を備えた食器置きを設け、配置した皿の内側方向の全面に対して直接、均等に洗浄水を供給できる食器置きを設けた請求項１の食器洗浄装置。
【請求項７】
食器置きを倒して伸縮或は着脱して洗浄槽の内部に重ねて設置する為の食器置き止めを等間隔で設け、複数の倒して設けた食器置きを分割して、分割して倒して設けた食器置きを食器置き止めの複数段に設置する手段を設けた請求項１の食器洗浄装置。
【請求項８】
流し台の洗浄槽の平面スペースより洗浄槽の平面スペースを広く設け、水栓を流し台の洗浄槽と兼用出来る位置に洗浄槽を設けた請求項１の食器洗浄装置。
【発明の詳細な説明】
【技術分野】
【０００１】
洗浄槽内の食器置きに配置した食器等の洗浄対象物の洗浄を自動で実施する食器洗浄装置に関する。
【背景技術】
【０００２】
本来、食器等の洗浄は、３度の食事に加えて、家族が別々に食事をした時や趣味のおやつ作りや家庭でお茶やコーヒーを飲んだ時等と５度も６度も行う事もあり、従来技術において、これらの全てをメーカーが推奨する洗浄・乾燥の条件で日々食器洗浄装置をフル稼働すれば、莫大な時間と費用を要する為、実用的に乏しく、せっかく設備した食器洗浄装置が、十分に活用できない。
【０００３】
即ち、従来技術の洗浄槽内の食器置きに配置した食器等（洗浄対象物）を自動で洗浄する食器洗浄装置は、要約すると、次の欠陥を保有する。
（イ）、従来技術の洗浄槽内の食器置きに配置した食器等の洗浄対象物の洗浄をする食器洗浄装置は、洗浄効率が悪い。
例えば、天ぷらやフライやカレーやシチュー等に使用したギトギトベトベトの汚れの程度が悪い食器も、煮物や汁もの等に使用した汚れのソフトの食器も、同時に、同じ汚れの程度が悪い食器の条件で洗浄を実施する。
同様に、洗浄対象物の配置が整然であっても無造作であっても、洗浄対象物が皿であっても茶碗やお椀であっても、洗浄対象物の量が多くても少なくても、即ち、加工環境を考慮する事無く、一定に限定した、強力、長時間、多量の洗剤を要する洗浄を実施する。
（或は、例えば、汚れの程度が悪い食器等は、予め、人手による下洗いを必要とする等の欠陥を保有する。）
例えば、特許文献１、２が相当する。
尚、「洗い」は、「ススギ」を含まない「洗浄」である。
「洗浄」は、「洗い」、及び、「ススギ」、及び、「洗い及びススギ」を含む。
【０００４】
（ロ）、従来技術の食器洗浄装置の食器等の配置は、パイプ等で支柱や鈎などに形成され込み入って分かり難い洗浄対象物を支える為の支持体（食器置き）に立てて並べなければならず、面倒で、手間を要する。
更に、この支持体が、食器等の形体別サイズ別に区分し形成されている為に、適合する支持体を選択して食器等を配置しなければならず、食器等の個々の配置場所が、不足したり余ったりするケースがあり、更に、この支持体の上は不安定であり鍋ややかん等の調理器具や野菜類の洗浄スペースを十分に確保できない。
この為、食器洗浄装置の使用者は、配置場所を非効率的に使用し、手間を要し不便と感じている。
例えば、特許文献１、２が相当する。
【０００５】
（ハ）、配置面と洗浄手段が別々に設けられている従来技術の洗浄装置は、例えば、特許文献１は、皿の配置は、垂直方向に設けた支持体（食器置き）を使用し、皿の洗浄は、支持体とは別に洗浄槽底面等に水平に設け垂直方向に洗浄水を供給する洗浄手段により行われる。
この為、洗浄水の供給は、皿に対して平行方向となり、配置面と洗浄手段が一体化形成され配置面より直接的に洗浄する手段、即ち、皿と向い合って皿に直角に洗浄水を供給する洗浄手段と比較すれば、洗浄効果が劣る。
特に、ギトギトベトベトの汚れの程度が悪い食器の種類は、主に、皿であるのに対して、皿の配置が（主に、ソフトの汚れの食器である茶碗、お椀、湯のみ等比べて）、この洗浄効率の劣る配置を採用している。
尚、洗浄水は、水又はお湯、洗剤、水又はお湯に洗剤を混入させたもの或は混入させるもの、水又はお湯に空気又はオゾン又は酸素又は水素又は炭酸又はその他の気泡を混入させたもの或は混入させるもの、水又はお湯に洗剤を混入させ更に気泡を混入させたもの或は混入させるもの、その他のものである。更に、前記の液体に加えて、泡状のもの、ジェル状のもの、高圧にしたもの、揮発性のもの、その他のものである。
【０００６】
（二）、配置面と洗浄手段を一体化形成した従来技術の洗浄装置は、例えば、特許文献２は、食器支持柱を中空で構成し、中空管より洗浄水を噴射し、食器の洗浄性能を向上させる技術であるが、食器支持柱の長さは皿の直径より短く一本或は数本で皿を支える形体であり、「配置した皿の全ての内側方向の全面と相対して配置できる全面が平らな配置面の食器置きであり、洗浄水を供給するための噴出孔を等間隔に設け配置した皿の全ての内側方向の全面と洗浄手段が相対して洗浄できる手段を備えた食器置き」（請求項６）ではなく、例えば、皿の配置時において、皿の上端部分や左右端部分は、食器支持柱より離れるにつれて、不安定となり、洗浄水の噴射角度が広くなり、噴射距離が遠くなり、洗浄水の供給量が少なくなり洗浄性能が低下する欠陥を保有する。
【０００７】
更に、特許文献１、２は、食器支持柱の高さや間隔を簡単に調節する手段を備えておらず、仮に、食器支持柱を皿の径に合わせて設置しようとすれば、食器支持柱自体をその都度取り替える必要があり利便性に劣る。
【０００８】
（ホ）更に、従来技術の食器洗浄装置の欠陥発生要因の１つは、手洗浄で食器等の洗浄を行う場である従来技術の流し台の平面スペースが広く取ってある為に、従来技術の食器洗浄装置の平面スペースが十分に確保できず狭く、この狭い平面スペースを少しでも効率良く使う為の苦作の策に因る。
【０００９】
この流し台の平面スペースに関しては、例えば、流し台の洗浄槽の中に直径３０ｃｍ程度の洗い桶を入れ、この中で食器等の洗浄をして、洗い桶を置く残りの平面スペースを洗浄前後の食器等の置き場として使用するケースが多くある。
言い換えれば、従来技術の流し台の平面スペースは、必要以上に広く、現状より小さくしても支障なく使用できる使用者は多くいる。
【００１０】
（ヘ）特許文献３は、本願発明者による技術であり、食器洗浄装置の洗浄槽と流し台の洗浄槽の平面スペースを共用して設け、平面スペースを広く取り前記の食器洗浄装置の欠陥を解決する為に提案した技術であるが、具体的な食器等（洗浄対象物）の配置方法については、著していない。
【００１１】
更に、特許文献４は、特許文献１、２、３の欠陥を解決する為に本願発明者により提案する技術であるが、配置面と洗浄手段を一体化して倒して設けた食器置き（実施例１〜３）に関して著しているが、配置面と洗浄手段を一体化して立てて設けた食器置き（実施例４）に関しての記載は無い。
【先行技術文献】
【特許文献】
【００１２】
【特許文献１】特開２００１−２３１７３７
【特許文献２】特開平７−３２７９０９
【特許文献３】特願２０１７−０２８６０８
【特許文献４】特願２０１７−１５０３３６
【発明の概要】
【発明が解決しようとする課題】
【００１３】
前記の「背景技術」の欠陥及び欠陥が発生する要因を無くす事にあり、大型化するのを抑え、洗浄効率が良く、手間を軽減した、食器等（洗浄対象物）の多種多様な配置及び洗浄を実施する手段を設けた食器洗浄装置の提供である。
詳しくは、「洗浄槽内の大皿及びお椀及び茶碗を含む洗浄対象物を配置する部である食器置きの洗浄対象物を配置する面である配置面に配置した洗浄対象物の洗浄を自動で実施する食器洗浄装置において、配置面と配置面より直接的に洗浄する洗浄手段を一体化形成して洗浄対象物に対応して配置面と洗浄手段を伸縮或は着脱する作業を１つの作業にした食器置きの個別或はグループ別に洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替えのいずれかの１つ或は複数の洗浄条件を変更する手段を設け同時に異なる洗浄条件で洗浄する手段を設けた食器洗浄装置。」（請求項１）の提供である。
【００１４】
即ち、大型化する事なく、食器置きを設置すれば、別途に洗浄装置を設ける必要が無く、簡単便利に洗浄対象物を洗浄する食器洗浄装置の提供であり、配置面と洗浄手段を一体形成した食器置きを同時に伸縮或は着脱する食器洗浄装置の提供であり、洗浄効率、洗浄効果が良く、短時間に洗浄する手段を設けた食器洗浄装置の提供である。
即ち、洗浄水を洗浄対象物に近距離から直接、均等に供給し、強力で、むらの無い洗浄を可能する食器洗浄装置の提供であり、例えば、ギトギトベトベトの汚れの皿の洗浄であっても、人手による下洗いの必要の無い手段を可能にする食器洗浄装置の提供である。
【００１５】
更に、例えば、汚れの程度の悪い洗浄対象物を配置した食器置きの洗浄は、複数の洗浄条件から強力洗浄や長時間洗浄を選択し設定し、汚れの程度の軽い洗浄対象物を配置した食器置きの洗浄は、複数の洗浄条件から弱い力の洗浄や短時間洗浄を選択し設定し、一度に洗浄を実施する事を容易にする食器洗浄装置の提供である。
即ち、程度の異なる汚れの洗浄対象物を、それぞれの汚れの程度に対応した洗浄条件で、一度の洗浄で、手間を要せず、時間を要せず、むら無く、効率良く洗浄する食器洗浄装置の提供である。
【００１６】
更に、請求項２〜７の発明の実施を可能にし、発明効果を高める食器洗浄装置の提供である。（請求項１、他に関する。）
【００１７】
更に、「食器置きを倒して複数段を洗浄槽内に設置する為の食器置き止めを高さ方向に等間隔に複数段を設け、洗浄対象物の全ての内側方向の全面と相対して配置できる全面が平らな配置面の食器置きを洗浄槽内に倒して複数段を食器置き止めに設置する手段を設けた請求項１の食器洗浄装置。」（請求項２）の提供であり、
「食器置きを立てて複数列を洗浄槽内に設置する為の食器置き止めを水平方向に等間隔に複数列を設け、洗浄対象物の全ての内側方向の全面と相対して配置できる全面が平らな配置面の食器置きを洗浄槽内に立てて複数列を食器置き止めに設置する手段を設けた請求項１の食器洗浄装置。」（請求項３）の提供であり、
「食器置きを倒して複数段を洗浄槽内に設置する為の食器置き止めを高さ方向に等間隔に複数段を設け、洗浄対象物の全ての内側方向の全面と相対して配置できる全面が平らな配置面の食器置きを洗浄対象物の個別の厚みに対応して適合する位置の食器置き止めを選択して設置する手段を設けた請求項１の食器洗浄装置。」（請求項４）の提供であり、
「食器置きを立てて複数列を洗浄槽内に設置する為の食器置き止めを水平方向に等間隔に複数列を設け、皿の全ての内側方向の全面と相対して配置できる全面が平らな配置面と配置面より直接的に洗浄する洗浄手段を一体化形成して皿の口縁の広さに合わせて同時に伸縮する手段或は皿の配置時に同時に短縮する手段を備えた食器置きを立てて複数列を食器置き止めに設置する手段を設けた請求項１の食器洗浄装置。」（請求項５）の提供であり、
「配置した皿の全ての内側方向の全面と相対して配置できる全面が平らな配置面の食器置きであり、洗浄水を供給するための噴出孔を等間隔に設け配置した皿の全ての内側方向の全面と洗浄手段が相対して洗浄できる手段を備えた食器置きを設け、配置した皿の内側方向の全面に対して直接、均等に洗浄水を供給できる食器置きを設けた請求項１の食器洗浄装置。」（請求項６）の提供であり、
「食器置きを倒して伸縮或は着脱して洗浄槽の内部に重ねて設置する為の食器置き止めを等間隔で設け、複数の倒して設けた食器置きを分割して、分割して倒して設けた食器置きを食器置き止めの複数段に設置する手段を設けた請求項１の食器洗浄装置。」（請求項７）の提供であり、
「流し台の洗浄槽の平面スペースより洗浄槽の平面スペースを広く設け、水栓を流し台の洗浄槽と兼用出来る位置に洗浄槽を設けた請求項１の食器洗浄装置。」（請求項８）の提供である。
【００１８】
即ち、従来技術と比較して、大型化するのを抑え、判り易く扱い易い単純な形状の配置場所に、簡単便利な単純な作業で多種多様で大量の洗浄対象物を整然と配置できる食器洗浄装置の提供である。
例えば、食器置きに皿を配置する場合は、食器置きを食器置き止めに１段の間隔で設置し、食器置きにお椀や茶碗を配置する場合は、食器置きを食器置き止めに２段の間隔で設置し、食器置きにどんぶりを配置する場合は、食器置きを食器置き止めに３段の間隔で設置して、配置した洗浄対象物と食器置きの間に生じる余計な空間を減らし、多くの洗浄対象物の配置場所を確保し、食器洗浄装置が高さ方向に大型する事を抑制する食器洗浄装置の提供であり、大皿、茶碗、お椀等の食器類に加えて鍋ややかん等の調理器具類や野菜や果物等の洗浄対象物を、メーカーの配置制限を受けずに食器洗浄装置の使用者の判断で任意の場所に配置できる食器洗浄装置の提供であり、洗浄対象物の汚れ具合に応じた配置及び洗浄を容易に選択可能にする食器洗浄装置の提供であり、例えば、ソフトな汚れの洗浄であれば、無造作に運んだままの手間を要しない配置を選択でき、酷い汚れの洗浄であれば、配置面と食器等を相対して配置し人手による下洗いの必要の無い配置を選択できる食器洗浄装置の提供である。
即ち、洗浄対象物の汚れ具合に応じた配置及び加工条件の設定を容易にする食器洗浄装置の提供である。
更に、別途に作られた食器置きや小物入れを、容易に後付けで設置し活用する食器洗浄装置の提供である。（請求項２、４、他に関する。）
【００１９】
更に、従来技術と比較して、大型化するのを抑え、判り易く扱い易い単純な形状の立てた食器置きの配置場所に、簡単便利な単純な作業で洗浄対象物を整然と配置できる食器洗浄装置の提供である。
例えば、立てた食器置きに口縁の広い皿を配置時や取り出し時に食器置きを短縮する或は皿の口縁の広さに合わせて伸縮する事により、配置後の形体を揃え供給される洗浄水を均等に受け簡単便利に斑の無い洗浄をする食器洗浄装置の提供である。
更に、配置時に、例えば、立てた食器置きに見込の浅い皿を配置する場合は、立てた食器置きを食器置き止めに１列の間隔で設置し、見込の深い皿を配置する場合は、立てた食器置きを食器置き止めに２列の間隔で設置して、設置した立てた食器置きと配置した洗浄対象物の間に生じる余計な空間を減らし、多くの洗浄対象物の配置場所を確保し、食器洗浄装置が横方向に大型する事を抑制できる食器洗浄装置の提供である。
更に、水平方向に設けた食器置きに併設し、洗浄対象物の配置方法を多様にし、例えば、平面的な形状の配置場所に、口縁の広い皿でも狭い皿でも上方向或は横方向から挿入でき、配置後の皿の形体を揃え斑の無い洗浄をする食器洗浄装置の提供である。更に、自由に簡単便利に皿を配置する食器洗浄装置の提供である。（請求項３、５、他に関する。）
【００２０】
更に、洗浄水を洗浄対象物に近距離から直接、等間隔に供給し、大皿及びお椀及び茶碗を含む洗浄対象物の全ての内側方向の全面とこの洗浄対象物を洗浄する手段が相対した洗浄を実施し、洗浄対象物の内側方向の全面に直接均等に洗浄水を供給し、例えば、洗浄水を洗浄対象物の内側方向の全面に対して平行に供給する従来技術や洗浄水を洗浄対象物の内側方向の全面に放射線状に供給する従来技術と比較して、強力で、むらの無い洗浄を実施する食器洗浄装置の提供であり、例えば、ギトギトベトベトの汚れの皿の洗浄であっても、人手による下洗いの必要の無い手段を設けた食器洗浄装置の提供である。
（請求項６、他に関する。）
【００２１】
更に、食器置きの洗浄対象物の区分場所を分割して、例えば、上下から上下左右或は上下前後に広げる事により、洗浄対象物の形状や汚れの程度に対応した区分等の配置を容易にする食器洗浄装置の提供であり、例えば、洗浄対象物の形状に応じて容易に区分して配置する事により、食器洗浄装置が高さ方向に大型する事無く、多くの量の洗浄対象物の配置を確保する食器洗浄装置の提供であり、例えば、洗浄対象物を汚れの程度に応じて容易に区分して配置し、洗浄対象物を汚れの程度に応じた食器置きの洗浄条件を容易に設置し、洗浄効率が良くむらの無い洗浄を実施する食器洗浄装置の提供であり、更に、伸縮する手段或は着脱する手段を設けた食器置きの分割した各パーツを短くでき、短縮時の食器置きの形状を小さくでき、食器洗浄装置が大型するのを抑制する食器洗浄装置の提供である。（請求項７、他に関する。）
【００２２】
更に、簡単便利に食器置きを設置し、簡単便利に洗浄対象物を配置して、高さ方向に大型化するのを抑えた食器洗浄装置の提供である。（請求項８に関する。）
【課題を解決するための手段】
【００２３】
請求項１の発明は、「洗浄槽内の大皿及びお椀及び茶碗を含む洗浄対象物を配置する部である食器置きの洗浄対象物を配置する面である配置面に配置した洗浄対象物の洗浄を自動で実施する食器洗浄装置において、配置面と配置面より直接的に洗浄する洗浄手段を一体化形成して洗浄対象物に対応して配置面と洗浄手段を伸縮或は着脱する作業を１つの作業にした食器置きの個別或はグループ別に洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替えのいずれかの１つ或は複数の洗浄条件を変更する手段を設け同時に異なる洗浄条件で洗浄する手段を設けた食器洗浄装置。」である。
【００２４】
請求項２の発明は、「食器置きを倒して複数段を洗浄槽内に設置する為の食器置き止めを高さ方向に等間隔に複数段を設け、洗浄対象物の全ての内側方向の全面と相対して配置できる全面が平らな配置面の食器置きを洗浄槽内に倒して複数段を食器置き止めに設置する手段を設けた請求項１の食器洗浄装置。」である。
【００２５】
請求項３の発明は、「食器置きを立てて複数列を洗浄槽内に設置する為の食器置き止めを水平方向に等間隔に複数列を設け、洗浄対象物の全ての内側方向の全面と相対して配置できる全面が平らな配置面の食器置きを洗浄槽内に立てて複数列を食器置き止めに設置する手段を設けた請求項１の食器洗浄装置。」である。
【００２６】
請求項４の発明は、「食器置きを倒して複数段を洗浄槽内に設置する為の食器置き止めを高さ方向に等間隔に複数段を設け、洗浄対象物の全ての内側方向の全面と相対して配置できる全面が平らな配置面の食器置きを洗浄対象物の個別の厚みに対応して適合する位置の食器置き止めを選択して設置する手段を設けた請求項１の食器洗浄装置。」である。
【００２７】
請求項５の発明は、「食器置きを立てて複数列を洗浄槽内に設置する為の食器置き止めを水平方向に等間隔に複数列を設け、皿の全ての内側方向の全面と相対して配置できる全面が平らな配置面と配置面より直接的に洗浄する洗浄手段を一体化形成して皿の口縁の広さに合わせて同時に伸縮する手段或は皿の配置時に同時に短縮する手段を備えた食器置きを立てて複数列を食器置き止めに設置する手段を設けた請求項１の食器洗浄装置。」である。
【００２８】
請求項６の発明は、「配置した皿の全ての内側方向の全面と相対して配置できる全面が平らな配置面の食器置きであり、洗浄水を供給するための噴出孔を等間隔に設け配置した皿の全ての内側方向の全面と洗浄手段が相対して洗浄できる手段を備えた食器置きを設け、配置した皿の内側方向の全面に対して直接、均等に洗浄水を供給できる食器置きを設けた請求項１の食器洗浄装置。」である。
【００２９】
請求項７の発明は、「食器置きを倒して伸縮或は着脱して洗浄槽の内部に重ねて設置する為の食器置き止めを等間隔で設け、複数の倒して設けた食器置きを分割して、分割して倒して設けた食器置きを食器置き止めの複数段に設置する手段を設けた請求項１の食器洗浄装置。」である。
【００３０】
請求項８の発明は、「流し台の洗浄槽の平面スペースより洗浄槽の平面スペースを広く設け、水栓を流し台の洗浄槽と兼用出来る位置に洗浄槽を設けた請求項１の食器洗浄装置。」である。
【発明の効果】
【００３１】
「発明が解決しようとする課題」で著した通り、本食器洗浄装置の提供により、食器洗浄装置を大型化する事無く、多種多様で多量の洗浄対象物の配置を簡単便利にし、洗浄及び配置の手間、時間を削減し、洗浄むらを無くし、洗浄効率を高くし洗浄効果を良くする。
即ち、光熱費を減らし日々三度三度或は日々五度六度行う食器洗浄のユーザの時間を有効的に活用して食器洗浄装置の実用性を高める。
即ち、前記の「背景技術」の欠陥を無くし、前記の「背景技術」の欠陥が発生する要因を無くす。
【図面の簡単な説明】
【００３２】
【図１】実施例１の食器洗浄装置の内部の概略を示す立面図。
【図２】実施例１の食器置きの各段の食器等の配置の概略を示す平面図。
【図３】実施例１の食器置きに配置した食器等の内訳の概略を示す図。
【図４】実施例１の食器置き、食器置き止め等の概略を示す。（４−ア）は、立面図。（４−イ）は、平面図。
【図５】実施例１のその他の食器置き、食器置き止め等の概略を示す平面図。
【図６】実施例１の食器置きの設置手順の概略を示す部分平面図。
【図７】実施例１の食器置きの設置手順の概略を示す部分断面平面図。
【図８】実施例１の食器置きの設置手順の概略を示す部分断面平面図。
【図９】食器置きのカバーの概略を示す平面図。
【図１０】操作盤に設けたタッチパネルの概略を示す立面図。
【図１１】食器類の配置の概略を示す立面図。
【図１２】洗浄槽からの収納を省略した食器置きの概略を示す立面図。
【図１３】実施例２の食器洗浄装置の内部の概略を示す立面図。
【図１４】実施例２の食器置きの設置手順等の概略を示す断面立面図。（１４−ア）〜（１４−イ）は、省略図。（１４−ウ）は、部分図。
【図１５】実施例２の食器置きの洗浄水等の供給等方向の切り替えの概略を示す断面側面図。（１５−エ）は、部分図。
【図１６】実施例２の食器置きの洗浄水等の供給等方向の切り替えの概略を示す。（１６−ア）〜（１６−エ）は、断面側面図。［（１６−エ）は、（１６−オ）のＢ−Ｂ線の断面図。］（１６−オ）は、（１６−エ）のＡ―Ａ線の断面部分立面図。
【図１７】実施例２の食器置き等の概略を示す平面図。
【図１８】実施例２のその他の食器置きの設置手順の概略を示す省略断面立面図。
【図１９】実施例２のその他の食器置きの設置手順の概略を示す。（１９−ア）、（１９−イ）は省略断面立面図。（１９−ウ）、（１９−エ）はロック部、ロック解除部を示す立面図。
【図２０】実施例３の食器洗浄装置の内部の概略を示す立面図。
【図２１】実施例３の食器置きの各段の食器等の配置の概略を示す平面図。
【図２２】実施例３の食器置きに配置した食器等の内訳の概略を示す図。
【図２３】実施例３の食器置きの設置手順の概略を示す。（２３−ア）〜（２３−イ）は、省略断面立面図。［（２３−イ）は、（２３−ウ）のＢ−Ｂ線の断面図。］（２３−ウ）〜（２３−エ）は、省略部分平面図。［（２３−ウ）は、（２３−イ）のＡ−Ａ線の断面図。］
【図２４】実施例３の供給管の食器置きヘの抜き差しの概略を示す断面平面図。
【図２５】実施例３のその他の食器置き、伝動部等の概略を示す断面立面図。
【図２６】実施例３のその他の食器置きの概略を示す立面図。
【図２７】実施例４の食器洗浄装置の内部の概略を示す立面図。
【図２８】実施例４のその他の食器洗浄装置の内部の概略を示す立面図。
【図２９】図２８の食器置き等の概略を示す側面図。
【図３０】図２８の食器置き等の概略を示す平面図。
【図３１】図２８の縦方向の食器置きの設置手順の概略を示す断面部分側面図。
【図３２】縦方向の食器置きの接続部の概略を示す断面側面図。
【図３３】図２８のその他の縦方向の食器置きの皿の配置手順の概略を示す立面図。
【図３４】図３３のその他の縦方向の食器置きの皿の配置手順の概略を示す立面図。
【図３５】縦方向の食器置きの皿の受け止め部の調節の概略を示す立面図。
【図３６】図２８及び図３３の洗浄槽ふたの開閉動作と水平方向の食器置きの上下動作に作用する動作の関係を示す作用図。
【図３７】実施例４のその他の食器洗浄装置の内部の概略を示す立面図。
【図３８】図３７の食器洗浄装置の食器置きを左右に傾斜させるための主要部の一部を示す。（３８−ア）は、平面図。（３８−イ）は、立面図。
【図３９】実施例４のその他の食器洗浄装置の内部の概略を示す立面図。
【図４０】実施例４のその他の食器洗浄装置の内部の概略を示す立面図。
【図４１】フック、柵、棚等の設置手順の概略を示す立面図。
【発明を実施するための形態】
【実施例１】
【００３３】
尚、「発明を実施するための形態」は、
「配置面と洗浄手段を一体化して倒して設けた食器置き」（実施例１〜３）と、
「配置面と洗浄手段を一体化して立てて設けた食器置き」（実施例４）に分けて著す。
（「配置面と洗浄手段を一体化して倒して設けた食器置き」に関して。）
尚、実施例１〜３で著す「配置面と洗浄手段を一体化して倒して設けた食器置き」は、「食器置き」と呼称する
図１が示す食器洗浄装置１００（１００ｃ）は、概して、洗浄水を洗浄槽１（１ｃ）の貯水面Ｄまで供給して、食器置き２（２ａ、２ｂ、２ｃ）に設けたファン２ｃ２（図４参照）を回転させ、洗浄水を攪拌して食器置き２（２ａ、２ｂ、２ｃ）の配置面に配置した洗浄対象物８［８１〜８７（８２は図２、３参照）］に洗浄水を供給（或は吸引或は供給及び吸引）し、洗浄対象物８（８１〜８７）を洗浄する手段で示している。
（更に、乾燥用風を供給して乾燥する手段を示している。）
【００３４】
即ち、図１が示す食器洗浄装置１００（１００ｃ）は、
「洗浄槽（１）内の大皿（８１）及びお椀（８３）及び茶碗（８５）を含む洗浄対象物（８）を配置する部である食器置き（２）の洗浄対象物（８）を配置する面である配置面に配置した洗浄対象物（８）の洗浄を自動で実施する食器洗浄装置（１００）において、配置面と配置面より直接的に洗浄する洗浄手段を一体化形成して洗浄対象物（８）に対応して配置面と洗浄手段を伸縮或は着脱する作業を１つの作業にした食器置き（２）の個別或はグループ別に洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替えのいずれかの１つ或は複数の洗浄条件を変更する手段を設け同時に異なる洗浄条件で洗浄する手段を設けた食器洗浄装置（１００）。」（請求項１）を示す。
【００３５】
更に、「食器置き（２）を倒して複数段を洗浄槽（１）内に設置する為の食器置き止め（３）を高さ方向に等間隔に複数段を設け、洗浄対象物（８）の全ての内側方向の全面と相対して配置できる全面が平らな配置面の食器置き（２）を洗浄槽（１）内に倒して複数段を食器置き止め（３）に設置する手段を設けた請求項１の食器洗浄装置（１００）。」（請求項２）を示し、
「食器置き（２）を倒して複数段を洗浄槽（１）内に設置する為の食器置き止め（３）を高さ方向に等間隔に複数段を設け、洗浄対象物（８）の全ての内側方向の全面と相対して配置できる全面が平らな配置面の食器置き（２）を洗浄対象物（８）の個別の厚みに対応して適合する位置の食器置き止め（３）を選択して設置する手段を設けた請求項１の食器洗浄装置（１００）。」（請求項４）を示し、
「食器置き（２）を倒して伸縮或は着脱して洗浄槽（１）の内部に重ねて設置する為の食器置き止め（３）を等間隔で設け、複数の倒して設けた食器置き（２）を分割して、分割して倒して設けた食器置き（２）を食器置き止め（３）の複数段に設置する手段を設けた請求項１の食器洗浄装置（１００）。」（請求項７）を示す。
【００３６】
更に詳しくは、図１が示す食器置き２（２ａ、２ｂ、２ｃ）は、大皿８１及びお椀８３及び茶碗８５を含む全ての洗浄対象物８（８１〜８７）の内側方向の全面と配置面が相対して配置できる全面が平らな形体に形成され、洗浄対象物８（８１〜８７）の形体に係わらず、洗浄対象物を使用者が選択した任意の場所を選択して配置でき、洗浄対象物を配置する手段と洗浄対象物を洗浄する手段を備え、更に、２段目より上段の食器置き２（２ｂ、２ｃ）は、平面方向を２等分に分割して設け、分割した食器置きの一枚或いは双方のいずれかを選択して食器置き止め３（３ａ、３ｂ）に設置する手段を設け、従来技術と比較して簡単便利に配置し洗浄を実施する様に設けている。
【００３７】
更に、洗浄対象物８（８１〜８７）に洗浄水を供給して洗浄する手段を備えた食器置き２（２ａ、２ｂ、２ｃ）と洗浄対象物８（８１〜８７）の内側方向の全面が相対して接して配置する事に因り、洗浄対象物８（８１〜８７）の内側方向に対して近距離に洗浄水を供給（或は吸引或は供給及び吸引）する手段を設ける事ができ、特に大皿８１は、効率の良い洗浄結果を得る事が出来、ギトギトベトベトの汚れの大皿８１の洗浄であっても、手洗いによる下洗い（人為的作業）を必要とせず斑なく洗浄でき対応できる事を示している。
【００３８】
尚、図例では、食器置き２（２ａ、２ｂ、２ｃ）の内、２段目より上段の食器置き２（２ｂ、２ｃ）を２分割しているが、２分割以外の複数枚に分割する事が可能であり、一枚或いは複数枚のいずれかを選択して食器置き止め３（３ａ、３ｂ）に設置する手段を設ける事が可能である。
又、分割した食器置きの大きさは同じでも異なっても可能ある。
又、最下位段の食器置き２ａは、常設出来るが、図例では、食器置き２ａや洗浄槽１の掃除・点検時に取り外し取り付けを自由にできる様に設けている。
又、図例では、最下位段の食器置き２ａを、一枚で示しているが、複数に分割して設ける事が可能である。
【００３９】
食器置き２（２ａ、２ｂ、２ｃ）の内、２段目より上段の食器置き２（２ｂ、２ｃ）で洗浄に使用する食器置きは、洗浄対象物８の配置時の高さに対応して適合する高さの食器置き止め３を選択して必要な枚数を複数段の食器置き止め３に設置し、この食器置きが洗浄対象物の配置の妨げとなる場合は、この食器置きを食器置き止め３（３ａ、３ｂ）より外して、洗浄槽外に設けた食器置き収納部９６に収納する手段を設けている。
【００４０】
２段目より上段の食器置き２（２ｂ、２ｃ）の内、食器置き２ｂは、食器置き止め３に設置時の高さ方向を薄く（例えば、０，５ｃｍ〜２ｃｍ程度に）形成し、食器置き２ｂを食器置き止め３に設置する事により生じる食器置き２ｂの高さ方向の占有スペースを小さくして、食器洗浄装置本体が高さ方向に大型化するのを防止している。
【００４１】
２段目より上段の食器置き２（２ｂ、２ｃ）の内、食器置き２ｃは、食器置き止め３に設置時の高さ方向を厚く（例えば、１，５ｃｍ〜４ｃｍ程度に）形成し、例えば、ギトギトベトベトの汚れの酷い洗浄や無造作に運んだ通水性の悪い配置の洗浄対象物の洗浄や鍋ややかん等の深底の洗浄対象物の洗浄等に対応する強力洗浄を実施する。
【００４２】
即ち、図１は、「洗浄槽（１）内の大皿（８１）及びお椀（８３）及び茶碗（８５）を含む洗浄対象物（８）を配置する部である食器置き（２）の洗浄対象物（８）を配置する面である配置面に配置した洗浄対象物（８）の洗浄を自動で実施する食器洗浄装置（１００）において、配置面と配置面より直接的に洗浄する洗浄手段を一体化形成して洗浄対象物（８）に対応して配置面と洗浄手段を伸縮或は着脱する作業を１つの作業にした食器置き（２）の個別或はグループ別に洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替えのいずれかの１つ或は複数の洗浄条件を変更する手段を設け同時に異なる洗浄条件で洗浄する手段を設けた食器洗浄装置（１００）。」（請求項１）を示す。
【００４３】
食器置き止め３は、食器置き止め３ａと３ｂで一組となっており、食器置き２（２ｂ、２ｃ）を洗浄対象物８（８１〜８７）の全ての内側方向の全面が相対して食器置き２の平面方向に配置できる様に各組の食器置き止め３（３ａ、３ｂ）を水平に設け、図例では、一部の食器置き止め３ｂが洗浄対象物８の陰になって見えないが、食器置き２を洗浄槽１ｃの内部に重ねて設置できる様に、洗浄槽の内部に高さ方向に一定間隔で設けている。（図例は、８段で設けている）
【００４４】
食器置き止め３（３ａ、３ｂ）の１段の間隔は、皿８１を食器置き２（２ａ、２ｂ、２ｃ）と相対して食器置き２の平面方向に配置し洗浄でき、洗浄対象物８（８１〜８７）と食器置き２の間隔を狭くする事を基にして設けており、
例えば、図１は、大量の洗浄対象物を洗浄する事を目的としており、
皿８１を洗浄する場合は、食器置き２（２ｂ、２ｃ）を１段毎に食器置き止め３（３ａ、３ｂ）に設置し、
お椀８３、湯のみ８４、茶碗８５を洗浄する場合は、食器置き２（２ｂ、２ｃ）を２段毎に食器置き止め３（３ａ、３ｂ）に設置し、
鍋８６、どんぶり（図示省略）を洗浄する場合は、食器置き２（２ｂ、２ｃ）を３段毎に食器置き止め３（３ａ、３ｂ）に設置し、洗浄槽１のスペースを有効的に使用している。
【００４５】
即ち、「食器置き（２）を倒して複数段を洗浄槽（１）内に設置する為の食器置き止め（３）を高さ方向に等間隔に複数段を設け、洗浄対象物（８）の全ての内側方向の全面と相対して配置できる全面が平らな配置面の食器置き（２）を洗浄槽（１）内に倒して複数段を食器置き止め（３）に設置する手段を設けた請求項１の食器洗浄装置（１００）。」（請求項２）を示し、
更に、「食器置き（２）を倒して複数段を洗浄槽（１）内に設置する為の食器置き止め（３）を高さ方向に等間隔に複数段を設け、洗浄対象物（８）の全ての内側方向の全面と相対して配置できる全面が平らな配置面の食器置き（２）を洗浄対象物（８）の個別の厚みに対応して適合する位置の食器置き止め（３）を選択して設置する手段を設けた請求項１の食器洗浄装置（１００）。」（請求項４）を示す。
【００４６】
尚、この配置例において、食器置き２ｃ（即ち、食器置き止め３に設置時の高さ方向を厚く形成した食器置き２）を配置する場合において、高さ方向のスペースが不足して洗浄対象物８が食器置き止め３に配置できなければ、配置間隔を広げる。
例えば、皿８１を洗浄する場合は、食器置き２（２ｂ、２ｃ）を２段毎に食器置き止め３（３ａ、３ｂ）に設置し、
お椀８３、湯のみ８４、茶碗８５を洗浄する場合は、食器置き２（２ｂ、２ｃ）を３段毎に食器置き止め３（３ａ、３ｂ）に設置し、
鍋８６、どんぶり（図示省略）を洗浄する場合は、食器置き２（２ｂ、２ｃ）を４段毎に食器置き止め３（３ａ、３ｂ）に設置する。
【００４７】
更に、食器置き止め３（３ａ、３ｂ）の段数を増やし、食器置き止め３（３ａ、３ｂ）の選択肢を増やす事により、即ち、高さ方向の空きスペースを細かく分け選択する手段を設ける事により、更に洗浄対象物（８）の配置時の高さ方向の空きスペースを少なくする。
例えば、図１で示す食器置き止め３（３ａ、３ｂ）の段数を８段から２４段に増やす事により、１／８の間隔から１／２４の間隔で食器置き止め３（３ａ、３ｂ）を選択できる。
【００４８】
例えば、食器置き２（２ｂ、２ｃ）の食器置き止め３（３ａ、３ｂ）への設置間隔を、
見込み浅い大皿８１を配置する場合は、食器置き２（２ｂ、２ｃ）を２段の間隔で、
見込み深い深鉢８９（図２７参照）を配置する場合は、食器置き２（２ｂ、２ｃ）を３段の間隔で、
茶碗８５、お椀８３を配置する場合は、食器置き２（２ｂ、２ｃ）を５段の間隔で、
湯のみ８４を配置する場合は、食器置き２（２ｂ、２ｃ）を６段の間隔で設置し、
図１より細分化した配置を可能にし、更に多量の洗浄対象物の配置を可能にする。
【００４９】
図１が示す給水口９１（９１ａ、９１ｂ）は、洗浄水を洗浄槽１（１ｃ）に供給する。
図例では、上下の２か所で示しているが、１か所でも複数個所でも可能である。
【００５０】
排水口９２は、洗浄後や洗浄最中の汚水を排水する。
汚水は、下水として処理する、或いは、不純物を除去して循環させ再利用する。
給水口９１と排水口９２の開閉の繰り返しは、（即ち、貯水と排水の繰り返しは、）食器置き２（２ａ、２ｂ、２ｃ）の洗浄を補足し洗浄効果を高める。
【００５１】
食器置き止めユニット９３は、全ての段或は２段目より上の食器置き止め３ａを収容し、洗浄槽１（１ｃ）に着脱を容易にして、食器置き止め３ａや洗浄槽１の掃除や点検を容易にする。
【００５２】
洗浄槽ふた９４は、洗浄中の洗浄水の水はねを防止し、乾燥を実施する為に閉じる。
更に、洗浄槽ふた９４の上面の中央部を端部より低く設け或は端部に溝を設け、流し台で手洗いした洗浄対象物の水滴を受け排出する手段を備えた洗浄対象物の置き場や洗浄対象物を入れる籠等の置き場として利用する。
更に、洗浄槽ふた９４は、乾燥時の洗浄対象物の量に応じた位置の食器置き止め３への設置を可能にする手段を設け（即ち、乾燥スペース容量を調節する手段を設け）、効率の良い乾燥を可能にする。
或は、洗浄槽ふた９４とは別途に洗浄槽中ふたを設け、この洗浄槽中ふたを、洗浄対象物の量に応じた位置の食器置き止め３への設置を可能にする手段を設け効率の良い乾燥を可能にする。
【００５３】
洗浄槽ふた９４は、洗浄最中に開閉ができなくなるロック機能を設ける事ができ、幼児のいたずらを防止する事ができる。
更に、ロック機能が働かねば、洗浄、乾燥の稼働ができなくなる安全装置を設ける事ができる。
洗浄槽ふた９４は、洗浄槽自体を手前に引き戻す開閉手段を設ける場合は、設置を省略できる。この場合においても、洗浄槽上面を洗浄対象物等の置き場として利用できる。
【００５４】
操作盤に設けたタッチパネル９５は、食器洗浄装置の加工条件等に関する表示をし、使用者が希望する加工条件からなるメニューの設定や選択等の指示を出し、確認等をする手段を備える。
尚、詳細は後記にて著す。
【００５５】
食器置き収納部９６は、洗浄対象物の配置の妨げとなる食器置き２（２ｂ、２ｃ）を収納し、洗浄に必要な食器置き２（２ｂ、２ｃ）を取り出す。
食器置き収納部９６は、着脱自由或は伸縮自由或は曲げ伸ばし自由等のふたを設ける手段、底に水抜き穴を設ける手段、洗浄水を引き込み内部及び食器置き２を自動洗浄する手段、乾燥用熱風を引き込み内部及び食器置き２を自動乾燥する手段等を設ける事が可能である。
食器置き収納部９６のふたのその他の形態は、概しては、洗浄槽ふた９４に準じて設ける事が可能である。
洗浄槽ふた９４を取り外し取り付け可能に設け、洗浄槽ふたの収納部と食器置き収納部９６を兼用可能な手段を設けるが可能である。
【００５６】
オーバーフロー９７は、食器置き止め３の高さの間隔に合わせて、食器置き止め３の２段目から最上段までの各段或いはこの最上段に１段或は複数段を加えて設け、洗浄に必要な洗浄水の貯水面の位置にあるオーバーフロー９７を手動或は自動で開閉する。
例えば、図１は、貯水面Ｄ（即ち、８段目のオーバーフロー９７）まで貯水しており、８段目のオーバーフロー９７を洗浄の状況により開閉し、１〜７段目のオーバーフロー９７は閉鎖したままにする。
【００５７】
即ち、オーバーフロー９７は、排水口９２を開放する事無く、洗浄装置の稼働を停止する事無く、新しい洗浄水を供給し洗浄に適した貯水量を確保し、洗浄で発生した油分や汚水を排出し油分や汚れが洗浄対象物の新しい場所に拡散するのを防止する。更に、乾燥中の空気を適宜に切り変えて、洗浄対象物の臭い移りを防止する。
【００５８】
水位センサー９８は、オーバーフロー９７の設定位置と同じ高さ或は準じる高さに設け、使用者が操作盤のタッチパネルで選択した加工条件或は予めメーカーが設定した加工条件等により、浮きの浮き沈み或いは光の屈折差或いは光の通過の有無或いは洗浄水の流入の有無などを感知し、この感知結果は情報として、制御装置により給水口９１の開閉や排水口９２の開閉やオーバーフロー９７の開閉や食器置き２の洗浄手段の稼働と停止等を制御する。
【００５９】
図２は、図１の食器等の各段の食器置きの配置を示している。
図３は、図１の配置した食器等の内訳を示している。
即ち、図１が示す洗浄槽（正面幅Ａ×奥行きＢ×高さＣ＝４５ＣＭ×４５ＣＭ×４０ＣＭ程度）において、
大皿８１（直径２０ＣＭ程度）＝８枚、
小皿８２（直径１０ＣＭ程度）＝４枚、
お椀８３（直径１１ＣＭ程度）＝４個、
湯のみ８４（直径７ＣＭ程度）＝４個、
茶碗８５（直径１２ＣＭ程度）＝４個、
鍋８６（直径２３ＣＭ程度）＝１個、
フライパン８７（直径２２ＣＭ程度）＝１個
を配置できる事を示している。
尚、鍋８６、フライパン８７の調理器具を収容しない場合は、前記の食器類は倍の数量を配置できる。
【００６０】
図１１は、図１の食器洗浄装置のその他の食器類（洗浄対象物）の配置例を示している。
（尚、図１１の洗浄手段の供給方向の一例を示すと、例えば、最上段Ｙの食器置き２は、洗浄水を下向きに供給し、中間段Ｘの食器置き２は、洗浄水を上下双方の向きに供給し、最下段の食器置き２ａは、洗浄水を上向きに供給する。）
図１１の（１１−ア）は、無造作に運ばれたままの食器類（洗浄対象物８）の配置を示している。
この配置例は、例えば、乾燥工程を含まないソフトな汚れの洗浄に適している。
或は、食器洗浄装置による洗い後に人手によるすすぎの洗浄、或は、食器洗浄装置による下洗い後に人手による補足洗い及びすすぎの洗浄に適している。
図１１の（１１−イ）は、前記の（１１−ア）の運搬時に全ての食器類の口縁方向（食器類の内側方向）を下方の食器置き２ａに向けて配置する手段を示している。
この配置例は、例えば、乾燥工程を含むソフトな汚れの洗浄に適している。
図１１の（１１−ウ）は、前記の（１１−イ）の食器類の配置時に、中間段Ｘの食器置き２ｃを追加して配置する手段を示している。
この配置例は、前記の（１１−イ）に比較して洗浄・乾燥効果を高くする。
図１１の（１１−エ）は、前記の（１１−ウ）の食器類の配置時に、ギトギトベトベトの汚れの酷い食器類（図例では、大皿８１で示している）は、口縁を下方に向け食器置き２ａ等の配置面と相対して食器置き２ａ等に平面方向に並べ食器置き止めの下方段に配置し、ソフトな汚れの食器類は、口縁を下方の食器置き２ｃに向けて中間段Ｘの食器置き２ｃに配置する手段を示している。
この配置例は、例えば、先ず、水位Ｅまで貯水して、下方段の酷い汚れの食器類（図例では、大皿８１で示している）の下洗い後に、水位Ｆまで貯水して、全ての食器類の洗浄・乾燥を行う事により、図１の配置に比較して洗浄エネルギーを抑える。
或は、一度に洗浄水を水位Ｆまで貯水して、下方段の食器置きに配置した酷い汚れの食器類（図例では、大皿８１で示している）は、強力洗浄や長時間洗浄を、中間段Ｘの食器置き２ｃに配置した軽微な汚れの食器類は、弱力洗浄や短時間洗浄を、一度に実施して洗浄エネルギーを抑える。
即ち、図１１は、「洗浄槽（１）内の大皿（８１）及びお椀（８３）及び茶碗（８５）を含む洗浄対象物（８）を配置する部である食器置き（２）の洗浄対象物（８）を配置する面である配置面に配置した洗浄対象物（８）の洗浄を自動で実施する食器洗浄装置（１００）において、配置面と配置面より直接的に洗浄する洗浄手段を一体化形成して洗浄対象物（８）に対応して配置面と洗浄手段を伸縮或は着脱する作業を１つの作業にした食器置き（２）の個別或はグループ別に洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替えのいずれかの１つ或は複数の洗浄条件を変更する手段を設け同時に異なる洗浄条件で洗浄する手段を設けた食器洗浄装置（１００）。」（請求項１）を示す。
図１１の（１１−オ）は、ギトギトベトベトの汚れの酷い食器類の口縁を上下のいずれかの方向に向け、食器置き２と相対して食器置き２の平面方向に並べた配置を示している。
この配置例は、例えば、乾燥工程を含まないギトギトベトベトの汚れが混じった食器類の食器洗浄に適している。
【００６１】
図４は、図１の（２分割した１枚の）食器置き２ｃ及び食器置き止め３（３ａ、３ｂ）の詳細について示す。
（尚、食器置き２ａ、２ｂの形態は、食器置き２ｃに準じる為食器置き２ｃを食器置き２（２ａ、２ｂ、２ｃ）の代表例として示す。但し、食器置き２ａは、着脱頻度が少なく、食器置き２ｂは、厚さが薄い。）
図４が示す食器置き２（２ｃ）は、骨格２ｃ１、ファン２ｃ２、突起２ｃ３等から成り、食器置き止め３ａは、受け台３ａ１、伝動部３ａ２、等から成り、食器置き止め３ｂは、凹み３ｂ１等から成る。
【００６２】
食器置き２（２ｃ）の骨格２ｃ１は、円断面細線形体或いは角断面細線形体等のステンレス等の硬質材等から成り、この硬質材等を、例えば、皿を平面方向に並べても皿が落下したりぐらつかない間隔で平に配置し、格子状或いは柵状（図５参照）等に形成している。
【００６３】
食器置き止め３ａの受け台３ａ１は、洗浄槽１（１ｃ）の左右方向の側面側に設け、洗浄槽１（１ｃ）に設置する食器置き２ｃの一方の端を受け止める。
食器置き２（２ｃ）の突起２ｃ３は、骨格２ｃ１に設け、洗浄槽１（１ｃ）の左右方向の中央側の前後方向の側面側に設けた食器置き止め３ｂの凹み３ｂ１に挿入して、食器置き２ｃの他方の端を固定し食器置き２ｃを食器置き止め３に設置する。
尚、左右前後の方向は、食器洗浄装置を使用する際に使用者が立つ位置を起点にして使用者が見た食器洗浄装置の方向を示す。
【００６４】
ファン２ｃ２は、図例では２枚を設けて、このファン２ｃ２の軸を骨格２ｃ１の軸受けに設け（図示省略）、２枚のファン２ｃ２は接触して設け連動回転をして、洗浄水及び乾燥用風を上向きに或いは下向きに供給或は吸引して洗浄対象物８の洗浄及び乾燥を実施する。
食器置き止め３ａの伝動部３ａ２は、原動部（図示省略）よりの回転動力をファン２ｃ２に伝動する。
【００６５】
ファン２ｃ２は、骨格２ｃ１の一部をスライドする手段或いは開閉する手段、或いは骨格２ｃ１の軸受けにねじ或は弾性材等を設け、骨格２ｃ１より着脱を自由にする手段を設け、掃除や点検を容易にする。
【００６６】
２枚のファン２ｃ２及び伝動部３ａ２及び中間伝動部２ｃ７（図５の５−イ参照）等の外周面即ち互いに接し伝動する面は、硬質ゴムや合成樹脂等の弾性材や、凹凸形状やザラザラ形状を設け原動部よりの動力を確実に伝動し２枚のファン２ｃ２を回転させる。
【００６７】
図４は、
２枚のファン２ｃ２を、互いに接して設け、
２枚のファン２ｃ２の回転方向を、相反した（順と逆）方向に回転させ、
２枚のファン２ｃ２の取り付けの向きを、相反して（表と裏に）取り付け、
２枚のファン２ｃ２の洗浄水及び乾燥用風の供給方向を、一定方向（上向き或は下向き）に揃えている。
【００６８】
図５の（５−ア）は、
２枚のファン２ｃ２の間を、分離して設け、同じ方向に回転する２個の伝動部３ａ２を設け、
２枚のファン２ｃ２の回転方向を、同じ（順或は逆）方向に回転させ、
２枚のファン２ｃ２の取り付けの向きを、同じ（表或は裏）向きに取り付け、
２枚のファン２ｃ２の洗浄水及び乾燥用風の供給方向を、一定方向（上向き或は下向き）に揃えている。
図５の（５−イ）は、
分離した２枚のファン２ｃ２の間に中間伝動部２ｃ７を設け、
２枚のファン２ｃ２の回転方向を、同じ（順或は逆）方向に回転させ、
２枚のファン２ｃ２の取り付けの向きを、同じ（表或は裏）向きに取り付け、
２枚のファン２ｃ２の洗浄水及び乾燥用風の供給方向を、一定方向（上向き或は下向き）に揃えている。
図５の（５−ウ）は、
前図５の（５−イ）の中間伝動部２ｃ７を２枚のファン２ｃ２の間から分離させて、２枚のファン２ｃ２を直接接し伝動させている。
即ち、２枚のファン２ｃ２の回転方向を、相反した（順と逆）方向に回転させ、
２枚のファン２ｃ２の取り付けの向きを、同じ（表或は裏）向きに取り付け、
２枚の其々のファン２ｃ２の洗浄水及び乾燥用風の供給方向を、相反する方向（上向きと下向き）に供給している。
【００６９】
尚、図４、図５の例では、ファン２ｃ２を２枚で示しているが、ファンを２枚以上の多数枚にして、洗浄水及び乾燥用風の供給の偏りを均一化する事が可能である。
更に、図例では、２枚のファン２ｃ２を同じサイズで示しているが、複数のファンを異なるサイズで設ける事が可能である。
尚、ファンは、１枚であっても可能である。
【００７０】
次に、具体的な洗浄水及び乾燥用風の供給方向に関しての食器置き２（２ａ、２ｂ、２ｃ）の表裏の設置方法及びファン２ｃ２の回転方向等に関して示す。
図１において、全ての食器置き２（２ａ、２ｂ、２ｃ）の洗浄水及び乾燥用風の供給方向を上向きに揃える場合は、例えば、図４或いは図５の（５−ア）或いは図５の（５−イ）の食器置き２ｃ（２ａ、２ｂを含む）を表側に揃えて設置する。
この場合、食器置き２（２ａ、２ｂ、２ｃ）には、使用者の目の届きやすい場所に「表側」「裏側」の注意書きを入れ使用者の設置間違いを防止する。或いは、裏側の骨格２ｃ１の間隔を広げる或は裏側の骨格２ｃ１を歯抜け状態等にして、洗浄対象物の配置をし難くして使用者の設置間違いを防止する。
尚、最下位段の食器置き２ａは、通常の洗浄では、着脱せず常設できる。
【００７１】
図１１の（１１−ア）〜（１１−オ）において、最上段Ｙの食器置き２（２ｂ、２ｃ）の洗浄水及び乾燥用風の供給方向を下向き、最上段Ｙ以外の食器置き２（２ａ、２ｂ、２ｃ）の洗浄水及び乾燥用風の供給方向を上向きにする場合は、例えば、図４或いは図５の（５−ア）或いは図５の（５−イ）の食器置き２ｃ（２ａ、２ｂを含む）を裏側（最上段Ｙ）と表側（最上段Ｙ以外）に区分して設置する。
この場合、食器置き２（２ａ、２ｂ、２ｃ）は、表裏の両面を使用可能にして、（例えば、食器置き２を食器置き止め３ａに設置する場合に、伝動部３ａ２や骨格２ｃ１の一部が邪魔であれば、伝動部３ａ２や骨格２ｃ１の邪魔になる部分を収納し引き出し可能等にして）、更に、食器置き２（２ａ、２ｂ、２ｃ）には、使用者の目の届きやすい場所に「表側」、「裏側」、「最上段用側」、等の注意書きを入れ使用者の設置間違いを防止する。
【００７２】
図１１の（１１−ア）〜（１１−オ）において、全ての食器置き２（２ａ、２ｂ、２ｃ）を表側に揃えて設置し、最上段Ｙの食器置き２（２ｂ、２ｃ）の洗浄水及び乾燥用風の供給方向を下向き、最上段Ｙ以外の食器置き２（２ａ、２ｂ、２ｃ）の洗浄水及び乾燥用風の供給方向を上向きにする場合は、設置した最上段Ｙの食器置き２（２ｂ、２ｃ）の回転方向を自動で逆方向に変更して回転させる手段を設ける。
（最上段Ｙ以外の食器置き２の回転方向は、順方向に回転させる。）
【００７３】
例えば、食器置き２（２ｂ、２ｃ）の設置の有無と食器置き２（２ｂ、２ｃ）に載置した洗浄対象物８の有無による光の通過の有無を感知する光センサーや重量を感知する重量センサー等のセンサーにより「食器置き止め３に設置した食器置き２に洗浄対象物が載置していない」事を感知し、この情報をコンピュータの記憶装置に送り、（コンピュータの記憶装置には「食器置き止め３に設置した食器置き２に洗浄対象物が載置していない場合は、食器置き２のファン２ｃ２の回転方向を逆に回転させる」事をプログラムしておき）、この「食器置き２のファン２ｃ２の回転方向を逆に回転させる」の情報により動力装置の動力を制御し、伝動部３ａ２或は伝動部に回転を伝える装置の回転方向を逆方向に回転させ、最上段Ｙに設置した食器置き２のファン２ｃ２の回転方向を逆に回転させる。
【００７４】
或は、中間段Ｘに設置した食器置き２（２ｂ、２ｃ）と、この上の段（Ｘ、Ｙ）に設置した食器置き２の２つの食器置き２の存在を重力センサーや光センサー等のセンサーにより認識し、この認識結果の情報により、中間段Ｘに設置した食器置き２のファン２ｃ２の回転方向を順方向のままに維持する様に動力を制御する。
更に、最上段Ｙに設置した食器置き２（２ｂ、２ｃ）のみの、（この最上段Ｙより上の段には食器置き２は存在せず、）１つの食器置き２の存在を重力センサーや光センサー等のセンサーにより認識し、この認識結果の情報により、最上段Ｙに設置した食器置き２のファン２ｃ２の回転方向を逆方向に変更する様に動力を制御する。
（最下段の食器置き２ａの回転方向は、順方向に回転させる。）
【００７５】
或いは、食器置き止め３ａに設置した食器置き２（２ｂ、２ｃ）のみの重量により、直接ファン２ｃ２の回転方向を切り換えるスイッチを食器置き止め３ａに設け、最上段Ｙに設置した食器置き２の回転方向を逆方向に回転させる。
或いは、操作盤に設けたタッチパネル９５に、食器置き止め３の２段目より上の各段のファン２ｃ２の回転方向を手動により選択し切り換える表示部を設ける、或は、食器置き止め３ａの２段目より上の各段付近や操作盤にこの操作を手動で切り換える為のボタンを設ける。
【００７６】
図１１の（１１−ウ）〜（１１−オ）において、最上段Ｙの食器置き２（２ｂ、２ｃ）の洗浄水及び乾燥用風の供給方向を下向き、最下段の食器置き２ａの洗浄水及び乾燥用風の供給方向を上向きに、最上段Ｙと最下段の中間段Ｘの食器置き２（２ｂ、２ｃ）の洗浄水及び乾燥用風の供給方向を上向きと下向きの双方に供給する場合は、例えば、図４或いは図５の（５−ア）或いは図５の（５−イ）の食器置き２ｃ（２ｂを含む）を裏側（最上段Ｙ）と食器置き２ａを表側（最下段）に区分して設置し、更に図５の（５−ウ）の食器置き２ｃ（２ｂを含む）を中間段Ｘに設置する。
【００７７】
図１１の（１１−ウ）〜（１１−オ）において、全ての食器置き２（２ａ、２ｂ、２ｃ）を表側に揃えて設置し、最上段Ｙの食器置き２（２ｂ、２ｃ）の洗浄水及び乾燥用風の供給方向を下向き、最下段の食器置き２ａの洗浄水及び乾燥用風の供給方向を上向きに、最上段Ｙと最下段の中間段Ｘの食器置き２（２ｂ、２ｃ）の洗浄水及び乾燥用風の供給方向を上向きと下向きに繰り返して供給する場合は、例えば、設置した最上段の食器置き２（２ｂ、２ｃ）の回転方向を自動で逆方向に変更して回転させ、更に最上段Ｙと最下段の中間段Ｘの食器置き２（２ｂ、２ｃ）の回転方向を自動で順方向と逆方向の繰り返しに変更して回転せる手段を設ける。
（最下段の食器置き２ａの回転方向は、順方向に回転させる。）
【００７８】
例えば、先ず、最上段Ｙの食器置き２（２ｂ、２ｃ）に関しては、食器置き２（２ｂ、２ｃ）の設置の有無と食器置き２（２ｂ、２ｃ）に載置した洗浄対象物８の有無を光の通過の有無で感知する光センサーや重量で感知する重量センサー等のセンサーにより「食器置きに洗浄対象物を載置していない」事を感知し、この情報をコンピュータの記憶装置に送り、（コンピュータの記憶装置には「食器置きに洗浄対象物が載置していない場合は、食器置き２のファン２ｃ２の回転方向を逆に回転させる」事をプログラムしておき）、この「食器置き２のファン２ｃ２の回転方向を逆に回転させる」の情報により、動力装置の動力を制御し、伝動部或は伝動部に回転を伝える装置の回転方向を逆に変え、最上段Ｙの食器置き２のファン２ｃ２の回転方向を逆に変える。
更に、最上段Ｙと最下段の中間段Ｘの食器置き２（２ｂ、２ｃ）に関しては、食器置き２（２ｂ、２ｃ）の設置の有無と食器置き２（２ｂ、２ｃ）に載置した洗浄対象物８の有無を光の通過の有無で感知する光センサーや重量で感知する重量センサー等のセンサーにより「食器置きに洗浄対象物を載置している」事を感知し、この情報をコンピュータの記憶装置に送り、（コンピュータの記憶装置には「食器置きに洗浄対象物を載置している場合は、食器置き２のファン２ｃ２の回転方向を順方向と逆方向に繰り返して回転させる」事をプログラムしておき）、この「食器置き２のファン２ｃ２の回転方向を順方向と逆方向に繰り返して回転させる」の情報により、動力装置の動力を制御し、伝動部或は伝動部に回転を伝える装置の回転方向を順方向と逆方向の繰り返しに変更させ、中間段Ｘの食器置き２のファン２ｃ２の回転方向を順方向と逆方向の繰り返しに変更させる。
【００７９】
或は、中間段Ｘに設置した食器置き２（２ｂ、２ｃ）と、この上の段（Ｘ、Ｙ）に設置した食器置き２の２つの食器置き２の存在を重力センサーや光センサー等のセンサーにより認識し、この認識結果の情報により、中間段Ｘに設置した食器置き２のファン２ｃ２の回転方向を順方向とを逆方向の繰り返しに変更する様に動力を制御する。
更に、最上段Ｙに設置した食器置き２（２ｂ、２ｃ）のみの、（この最上段Ｙより上の段には食器置き２は存在せず、）１つの食器置き２の存在を重力センサーや光センサー等のセンサーにより認識し、この認識結果の情報により、最上段Ｙに設置した食器置き２のファン２ｃ２の回転方向を逆方向に変更する様に動力を制御する。
（最下段の食器置き２ａの回転方向は、順方向に回転させる。）
【００８０】
或いは、食器置き止め３ａに載置した食器置き２（２ｂ、２ｃ）のみの重量により、直接ファン２ｃ２の回転方向を逆方向に切り換え回転させる自動スイッチ及び食器置き２（２ｂ、２ｃ）と洗浄対象物を加えた重量により直接ファン２ｃ２の回転方向を順方向と逆方向に繰り返して回転させる自動スイッチを設ける。
或いは、食器置き止め３の２段目より上の各段の付近にファン２ｃ２の回転方向を手動で選択し切り換える為のボタン、或いは、操作盤に設けたタッチパネル９５に、ファン２ｃ２の回転方向を手動で選択し切り換える画面の表示部を設ける、或は、操作盤にこの切り換えボタンを設ける。
尚、段落００７７〜００８０と段落００７２〜００７５の技術を併設する場合は、いずれかの技術を選択する手段をタッチパネル９５等に設ける。
或は、段落００７７〜００８０と段落００７２〜００７５のいずれか一方のみの技術を設ける。
【００８１】
以上、食器置き２の洗浄水等の供給方向を高さ方向に区分した代表例を著したが、これ以外の洗浄水等の供給方向の区分は、分割した個別の食器置き２の単位や分割した食器置き２を左右或は前後等に分けたグループで区分して洗浄水等を供給することが可能であり、この区分方法をその他の加工条件にも適用する事が可能で有り、これら加工条件の区分は、図１、図１１、後記で著す食器置き２に適用できる。
【００８２】
次に、食器置き２ｃ（２ｂを含む、或は、２ａ及び２ｂを含む）を食器置き止め３ａに設置する具体的な手順を示す。
図４は、食器置き２ｃを食器置き止め３ａに設けた伝動部３ａ２と止め部３ａ４で受け止めて受け台３ａ１に載置する手段を示している。
図５の（５−ア）は、食器置き２ｃを食器置き止め３ａに設けた２個の伝動部３ａ２で受け止めて受け台３ａ１に載置する手段を示している。
図５の（５−イ）及び（５−ウ）及び図６の（６−ア）〜（６−ウ）は、食器置き止め３ａの伝動部３ａ２にばね等の弾性材３ａ３を設け［図６の（６−ア）参照］、食器置き２ｃを食器置き止め３ａに載置する為に、食器置き２ｃのファン２ｃ２で食器置き止め３ａの伝動部３ａ２を押し、伝動部３ａ２を押える食器置き２ｃの余分の力を弾性材３ａ３で吸収し［図６の（６−イ）参照］、弾性材３ａ３でファン２ｃ２を押し戻し、伝動部３ａ２でファン２ｃ２を圧迫して図４や図５の（５−ア）よりも確実に動力を伝達する手段を示している［図６の（６−ウ）参照］。
【００８３】
次に、食器置き２ｃ（２ｂを含む、或は、２ａ及び２ｂを含む）を食器置き止め３ｂに設置する具体的な手順を示す。
図４の（４−イ）及び図７の（７−ア）〜（７−ウ）は、食器置き止め３ｂに設置する食器置き２ｃは［図７の（７−ア）参照］、設置前に突起２ｃ３が洗浄槽１（１ｃ）の側面で押され収縮し［図７の（７−イ）参照］、食器置き止め３ｂの凹み３ｂ１に突起２ｃ３を挿入後、突起２ｃ３が弾性材２ｃ６に押し戻され挿入状態が維持される手段を示している［図７の（７−ウ）参照］。
【００８４】
更に、図５の（５−イ）及び図８の（８−ア）〜（８−ウ）は、食器置き止め３ｂに設置する食器置き２ｃは、設置前に突起２ｃ３が洗浄槽１（１ｃ）の側面で押され収縮し［図８の（８−ア）参照］、更に、突起２ｃ３が弾性材（図示省略）で押され、食器置き止め３ｂの凹み３ｂ１に突起２ｃ３が挿入され、挿入状態がロックされる［図８の（８−イ）参照］。ロック解除部２ｃ４を握りウオーム２ｃ５の伝動作用を介してロックした突起２ｃ３を凹み３ｂ１から抜きロック解除する手段を示している［図８の（８−ウ）参照］。
【００８５】
図９は、食器置き２（２ａ、２ｂ、２ｃ）の骨格２ｃ１の一部或は全面を覆う為のカバー２ｃ８の一部を示している。
このカバー２ｃ８は、洗浄時に発生したごみが骨格の内部に侵入するのを防止したり、洗浄対象物や後付けする皿立てや小物入れ等の設置をより安定させる。
図９の（９−ア）は、ステンレス等の鋼材の薄板に多数の通水兼通風孔を設けている。
図９の（９−イ）は、ステンレス等の鋼材の細線やポリエステル等の繊維材からなるネットを設けている。
このカバー２ｃ８は、骨格２ｃ１の外面にスライドさせる手段やカバーする手段を設け、着脱を可能にする。
尚、カバー２ｃ８と骨格２ｃ１を一体化形成する事が可能である。
【００８６】
図１０の（１０―ア）が示す操作盤に設けたタッチパネル９５ａ（９５）は、メーカー或は使用者が指定した洗浄及び乾燥時間、洗浄水の貯水量等を表示し、設定や選択等の指示を出し、確認等をする手段を備える。
図１０の（１０―イ）が示す操作盤に設けたタッチパネル９５ｂ（９５）は、メーカー或は使用者が指定した洗浄コース、洗浄水の貯水量、洗浄時間、乾燥時間等を表示し、設定や選択等の指示を出し、確認等をする手段を備える。
【００８７】
図１０のタッチパネル９５は、図例以外に、洗浄・乾燥手段の供給方向（上向き、下向き、上下双方、右向き、左向き、右左双方の向き等）、洗浄時間の内訳（洗い時間、ススギ時間、経過時間、残り時間等）、洗浄内容（洗浄の強弱、洗浄水の供給吸引、洗剤の有無、洗剤の注入量等）、食器置きの洗浄と乾燥の稼働と停止、その他の加工内容を表示し表示内容の設定や選択等の指示を出し確認等をする手段を、全ての食器置きの単位或はグループに分けた食器置きの単位或は個々の食器置きの単位で備える事が可能であり、例えば、図１や図１１やその他の洗浄物の配置を実施する為の各種加工条件を設定、選択、確認等をする手段を備える。
【００８８】
図１０が示すタッチパネル９５の電源を入れた後に加工条件に関する画面に最初に表示される加工条件は、メーカーが推奨し予め設定した加工条件或いは使用者が登録した加工条件が表示される。
例えば、図１０の（１０―ア）では、電源を入れた後に表示される加工条件に関する画面に、先ず、「洗浄時間が１０分」、「乾燥時間が１０分」、「貯水量を食器置き止め３の７段目まで供給」のメーカーが予め設定した加工条件を表示する。
即ち、電源を入れ、（この画面が表示され、）スタートボタンを選択すれば、常時、自動的に、この加工条件で加工を開始する事を示している。
【００８９】
この加工条件以外の加工条件に変更したい場合は、画面に表示されている「その他の加工条件」を選択する。
次回も変更した加工条件で加工をしたい場合は、「登録」の表示部を選択して変更した加工条件を登録する。
登録した加工条件をメーカーが予め設定した加工条件に戻したい場合は、「標準設定に戻す」の表示部を選択して加工条件を標準設定に戻す。
【００９０】
図１０の（１０―イ）が示すタッチパネル９５ｂの「コース」の表示部は、洗浄の加工条件を分かり易い呼称名で表現している。
例えば、
「ギトギトベトベト洗浄」は、長い時間の洗浄、
「お助け洗浄」は、短い時間の洗浄、
「ソフト洗浄」は、「ギトギトベトベト洗浄」と「お助け洗浄」の間の時間の洗浄を呼称する。
更に、ファンの回転数を調節する手段を設ける場合は、前記の要因（時間）に、
「ギトギトベトベト洗浄」、早い回転数を、
「お助け洗浄」は、更に早い回転数を、
「ソフト洗浄」は、遅い回転数を、付け加えて呼称する。
更に、洗剤量を調節する手段を設ける場合は、前記の要因（時間、ファンの回転数）に、
「ギトギトベトベト洗浄」、「お助け洗浄」は、多い量を、
「ソフト洗浄」は、少ない量を、付け加えて呼称する。
この様に、その他の加工条件を組み合わせて其々の呼称名を呼称する。
【００９１】
図１０の（１０―ア）、（１０―イ）が示すタッチパネル９５ｂの「貯水量」、「貯水」の表示部の「自動」の表示部の選択は、例えば、光センサーや重量センサーや音波センサーや洗浄対象物８をお湯や電波で加熱後洗浄対象物８の温度を感知する音度センサー等のセンサーやカメラ等により設置した洗浄対象物８の最上位置を感知し、この感知結果を洗浄水の供給量を制御する為の情報として処理し、洗浄水の供給量を制御して、洗浄対象物８の最上位置まで洗浄水を供給する。
更に、この供給量（貯水量）を、他の加工条件（例えば、コース内容や洗浄時間や乾燥時間等）と共にパネル内に表示する。
【００９２】
図１０の（１０―イ）の「皿」、「茶碗、お椀」、「どんぶり、鍋」の各表示部の選択は、図１の食器の配置方法において、設置した食器置き２の最上段の食器別の洗浄槽の貯水量の適量を表示している。
例えば、「皿」の表示部の選択は、設置した食器置き２の最上段に１段或は２段を加えた食器置き止め３の高さ位置まで洗浄水を供給する。
「茶碗、お椀」の表示部の選択は、設置した食器置き２の最上段に２段或は３段を加えた食器置き止め３の高さ位置まで洗浄水を供給する。
「どんぶり、鍋」の表示部の選択は、設置した食器置き２の最上段に３段或は４段を加えた食器置き止め３の高さ位置まで洗浄水を供給する。
【００９３】
例えば、光センサーや重量センサーや音波センサー等のセンサーにより食器置き止め３に設置されている最上段の食器置き２の位置を感知し、この感知結果を情報として処理し、この情報と使用者が選択したタッチパネル９５ｂの情報を演算装置で処理し、演算結果の情報により洗浄水の供給量を制御して、食器別の洗浄槽の貯水量の適量を供給する。
更に、この供給量（貯水量）を、他の加工条件（例えば、コース内容や洗浄時間や乾燥時間等）と共にパネル内に表示する。
【００９４】
図１０の（１０―ア）では、貯水量の情報を画面内に（波型で）図示しているが、同様に食器置き２の設置状態や洗浄水の供給方向や洗浄対象物８の配置状態や加工進捗状況やその他の加工条件に関する情報を図示する手段を設ける事が可能である。
或は、洗浄槽内部に設けたカメラで、洗浄槽内部を写し表示する事が可能である。
【００９５】
尚、図１１の（１１−エ）において、ソフトの汚れの食器とギトギトベトベトの汚れの食器を食器置きの上下に区分して配置し、ギトギトベトベトの汚れの食器の下洗い後に全ての食器を洗浄する手段を示したが、この洗浄手段の全工程を自動で行うコースをタッチパネル９５内に設定して設ける事が可能である。
或いは、例えば、手動でタッチパネル９５内の「お助け洗浄」を選択後、「ソフト洗浄」を選択して実施する事が可能である。
【００９６】
図１では、洗浄水の供給量の強弱の調節を、厚い（ファンの）食器置き２ｃと薄い（ファンの）食器置き２ｂの配置の区分で実施しているが、その他の実施例として、食器置き２ｃのファン２ｃ２の動力の回転速度を調節する手段を設けることができ、タッチパネル９５の表示部或は操作盤のボタン等の指示手段を設け、この指示手段の選択、設定結果がファン２ｃ２の回転速度を調節する手段に作用し回転速度を制御する手段を設けることができる。
【００９７】
食器置き２に関する指示手段は、個々の食器置き２に個々の洗浄条件を設定出来る為、設置した複数の食器置き２が異なる洗浄条件での洗浄を同時に一度に実施する手段を可能にする。
即ち、個々の食器置き２の単位で指示を出す手段或は配置した食器置き２を上下或は左右等に自由に組み合わせ組み合わせたグループ別で洗浄条件の指示を出す手段を設けることが容易に可能である。
【００９８】
尚、このタッチパネル９５（９５ａ、９５ｂ）以外の表示手段、設定や選択等の指示手段は、操作盤に前記の加工条件を表記しこの表記内容を選択する為のボタン或いは前記の加工条件を表示する画面と表示したこの画面内容を選択する為のボタン等が可能であり、タッチパネルやこの手段の併設が可能である。
【００９９】
図１２の（１２―ア）は、次回の洗浄時に使用が予測できる食器置き２ｂ（２ｃを含む）を食器置き収納部９６（図１参照）に収納せずに、洗浄槽１（１ｃ）に設置したままにしておき、次回の洗浄時の食器置き２ｂ（２ｃを含む）の設置の手間を省く事ができる事を示している。
これを可能にする技術の一つは、食器置き２の平面方向を分割して設ける技術であり、分割した他方側の空きスペースより（食器置き２の横方向より）、洗浄対象物の配置を可能にする。
尚、使用者の予測に反して、食器置き２ｂ、（２ｃを含む）に過不足が生じた場合は、その時点で必要に応じて食器置き２ｂ（２ｃを含む）の着脱を行う。
【０１００】
図１２の（１２―イ）は、前図１２の（１２―ア）において、洗浄対象物の配置を更に容易にする為に、食器置き２ｂ（２ｃを含む）の片端側を持ち上げ固定し収納を省略した食器置きは、洗浄対象物の配置の邪魔にならない位置への移動ができる事を示している。
例えば、食器置き止め３ａの受け台３ａ１の上に凹み３ａ５を設け、更に、食器置き２ｂ（２ｃを含む）に、食器置き２ｂ（２ｃを含む）の設置時にこの凹み３ａ５に自ずと挿入する位置に突起２ｂ９を設け、凹み３ａ５に突起２ｂ９を挿入し、食器置き２ｂ（２ｃを含む）の片端側の持ち上げ時に、この突起２ｂ９を支点にした突起２ｂ３の回動の軌道上の固定に適した位置に凹み３ｂ２を設け、突起２ｂ３を凹み３ｂ２に挿入し、持ち上げた食器置き２ｂ（２ｃを含む）の片端側を固定する。
この技術は、食器置き２の平面方向を分割して設ける技術により、食器置き２の持ち上げ固定時の高さ方向を短くして、洗浄槽１の高さが高くなるのを抑える。
【０１０１】
尚、食器置き２ｂ（２ｃを含む）の片端側の持ち上げ時において、食器置き止め３ａの伝動部３ａ２や食器置き２ｂ（２ｃを含む）の骨格２ｃ１等の一部が障害物となり邪魔になる様であれば、伝動部３ａ２や食器置き２ｂ（２ｃを含む）の骨格２ｃ１等を可動可能にする手段や着脱可能にする手段等を設ける。
【実施例２】
【０１０２】
図１３〜１９は、「実施例１」（図１〜１２）のその他の実施例を示し、図１３は、食器洗浄装置１００（１００ｅ）の概要を示し、図１４は、食器置き２（２段目より上の食器置き２ｅ、或は、最下位段を含む全ての食器置き２ｄ及び２ｅ）及び食器置き止め３（３ｅ）の詳細を示す。
図１４が示す食器置き２の骨格２ｅ１は、内部を空洞にして設け、供給管９９（９９ｅ）を介して洗浄水や乾燥用風をこの空洞内部に供給（或は吸引）し、更に、骨格２ｅ１から洗浄水を供給（或は吸引）する為の多数の噴出孔２ｅ２を等間隔で設け、この噴出孔２ｅ２より洗浄対象物８に向けて洗浄水や乾燥用風を直角に、均等に噴出（或は吸引）して洗浄や乾燥を実施する手段を示す。（図１３参照）
【０１０３】
この洗浄水を噴出して洗浄する手段は、貯水しないで洗浄する手段、貯水して洗浄する手段のいずれか一方或は双方を兼用する手段が可能である。
特に、貯水しないで洗浄する手段は、ジェル状或は泡状或は霧状等の洗浄水を直接汚れ面に噴出後、しばらく放置してから洗いを行うつけ置き洗いを可能にして、電力や水や湯を節約する。
又、貯水して洗浄する手段は、洗いで発生する油分や汚水を、食器置き２の噴出孔２ｅ２より吸引して、骨格２ｅ１の空洞を介して排出する手段を設け、洗いで発生する油分や汚水が新しい場所に拡散するのを防止する。
更に、貯水して洗浄する手段は、食器置き２の噴出孔２ｅ２より気泡を噴出するバブル洗浄を可能にする。
【０１０４】
全ての食器置き２（２ｄ、２ｅ）或は２段目より上の食器置き２（２ｅ）は、左右方向を２分割して（図１３参照）、それぞれの食器置き２の骨格２ｅ１は、更に複数のパーツに分割して細口側を太口側に収納して引き出す伸縮手段を設けている。（図１４参照）
【０１０５】
図１４の（１４−ア）は、洗浄に使用しない食器置き２を示し、食器置き２の骨格２ｅ１の各パーツの細口側を太口側に収納し食器置き２を短縮し、食器置き止め３（３ｅ）の突起３ｅ１より起こし洗浄槽１ｅ（１ｅ）の左右の側面側に立てて収納し、図１３が示す様に洗浄対象物８の配置の邪魔にならない位置に納めている。
【０１０６】
図１４の（１４−イ）は、洗浄に使用する食器置き２を示し、図１４の（１４−ア）の食器置き２を回転軸を中心にして回転させ倒し、引き続き食器置き２の骨格２ｅ１の各パーツを洗浄槽１の内部に伸長し食器置き止め３の突起３ｅ１の上に平らにして設置している。
食器置き止め３は、食器置き２ｅを洗浄槽１ｅ（１）の内部に重ねて設置する為に倒した時に、設置場所に水平に留め、落下を防止する為に、突起３ｅ１を形成している。
この食器置き止め３ｅ（３）の突起３ｅ１の高さ方向の間隔は、図１３が示す様に、洗浄対象物８の配置時に個別の洗浄対象物８の厚みに対応して適合する高さに食器置き２ｅ（２）を配置できるように設けている。
【０１０７】
例えば、大量の洗浄対象物８を洗浄する事を目的とした場合に於いて、食器置き２ｅ（２）を個別の洗浄対象物８の厚み（即ち、洗浄対象物８の配置時の高さ）に対応して空間スペースの少ない位置の食器置き止め３ｅ（３）の突起３ｅ１を選択して設置する。
例えば、図１３では、湯のみ８４、茶碗８５の上の食器置き２ｅ（２）を２段の間隔で食器置き止め３ｅ（３）に設置し、
皿８１の上の食器置き２ｅ（２）を１段の間隔で食器置き止め３ｅ（３）に設置している。
尚、図１４の（１４−ウ）は、骨格２ｅ１に設けた空洞から洗浄水や乾燥用風を噴出する噴出孔２ｅ２を等間隔に設けている事を明確に示している。
【０１０８】
図１３が示す食器置きユニット９３ｅは、食器置き２（全ての段の食器置き２ｄ及び２ｅ、或は、２段目より上の食器置き２ｅ）や供給管９９ｅ（９９）を収容し、洗浄槽１ｅ（１）に着脱を容易にして、食器置き２（２ｄ、２ｅ或は２ｅ）や供給管９９ｅ（９９）や洗浄槽１の掃除や点検を容易にする
図１３が示す供給管９９ｅ（９９）を備える食器置きユニット９３ｅは、複数に分岐した供給管９９ｅ（９９）を１本に集約し、集約した供給管９９にワンタッチ或は１／２回転或は１回転等で、簡単に着脱が可能な接続部を操作のし易い前面上部等に設けている。
尚、供給管９９ｅ（９９）は、洗浄槽１ｅ（１）の外部に設ける事が可能である。
【０１０９】
更に、図１３が示す様に、本食器洗浄装置１００は、別途の皿立て３００や小物入れ（図示省略）等を食器置き２の任意の場所に後付けで設置できる事を示している。
尚、食器置きを分割することにより、別途の皿立て３００や小物入れ（図示省略）や食器置き２等を効率よく簡単に設置する。
【０１１０】
図１５、１６は、洗浄水や乾燥用風の供給方向を上向きと下向きと上下双方の向きに切り替える手段を示す。
図１５は、食器置き２の骨格２ｅ１内部に設けた空洞及び噴出孔２ｅ２を上向き用と下向き用に分けて設け、更に洗浄水や乾燥用風を供給する為の供給管９９（９９ｅ）を上向き用と下向き用に分けて設け、其々の供給管９９を其々の骨格２ｅ１の空洞（噴出孔２ｅ２）に接続して設け、食器置き２の設置状況や食器の配置状況を感知するセンサーや、タッチパネル等に設けた開閉を指示する為の表示部や、操作部等に設けた開閉用ボタンや、供給管９９や食器置きの骨格２ｅ１に設けた開閉用コック等により、供給管９９側に設けた洗浄水や乾燥用風の供給の開閉手段を上向きと下向きと上下双方の向きの切り替える手段を設けている（図示省略）。
【０１１１】
図１５の（１５−ア）は、上向き用の骨格２ｅ１内部の空洞に洗浄水や乾燥用風Ｇを供給し、噴出孔２ｅ２より上向きに洗浄水や乾燥用風Ｇを噴出する。
図１５の（１５−イ）は、下向き用の骨格２ｅ１内部の空洞に洗浄水や乾燥用風Ｇを供給し、噴出孔２ｅ２より下向きに洗浄水や乾燥用風Ｇを噴出する。
図１５の（１５−ウ）は、上下双方の向き用の骨格２ｅ１内部の空洞に洗浄水や乾燥用風Ｇを供給し、噴出孔２ｅ２より上下双方の向きに洗浄水や乾燥用風Ｇを噴出する。
図１５の（１５−エ）は、前後方向に伸びる骨格２ｅ１及び左右方向に伸びる骨格２ｅ１の空洞（噴出孔２ｅ２）を上下に分け、一度の開閉操作で洗浄水が全ての骨格２ｅ１の空洞に回る様に設けている。
【０１１２】
図１６は、食器置き２の骨格２ｅ１の内周に、洗浄水や乾燥用風の供給方向を上向きと下向きと上下双方の向きに切り替える為の、切り替え枠２ｅ５を設けている。
この切り替え枠２ｅ５は、骨格２ｅ１に設けた噴出孔２ｅ２の位置に合わせ噴出孔２ｅ２を開放し閉鎖する孔を設け、切り替え枠２ｅ５を回転し、洗浄水や乾燥用風の供給方向を上向きと下向きと上下双方の向きに切り替える手段を設けている。
図１６の（１６−ア）は、上向きに洗浄水や乾燥用風を噴出する。
図１６の（１６−イ）は、下向きに洗浄水や乾燥用風を噴出する。
図１６の（１６−ウ）は、上下双方の向きに洗浄水や乾燥用風を噴出する。
図１６の（１６−エ）、（１６−オ）は、例えば、切り替え枠２ｅ５の細径側（或は太径側）を回転すると、切り替え枠２ｅ５の太径側（或は細径側）の突起２ｅ７が、細径側（或は太径側）の突起２ｅ６に引っかかり連動回転し噴出孔２ｅ２を開閉し、一度の操作で骨格２ｅ１の全てのパーツを切り替える手段を設けている。
尚、この操作の実施は、切り替え枠２ｅ５の一部を骨格２ｅ１の内部より露出して設けた操作手段を設ける。
例えば、
図１６の（１６−オ）で示す突起２ｅ５ａは、手動操作でこの突起を回転させる。
図１６の（１６−オ）で示す突起２ｅ５ｂは、センサーやタッチパネルや操作盤等の指示手段の指示により動力を伝動させてこの突起を回転させる。
【０１１３】
尚、図１６では、洗浄水や乾燥用風の切り替え手段を、切り替え枠２ｅ５を回転して実施する手段を示したが、その他の実施例として、切り替え枠２ｅ５を切り替え枠２ｅ５の長さ方向に移動し噴出孔２ｅ２の開閉を実施する手段や、その他の手段を設けることが可能である。
尚、図１５、１６のその他の実施例として、食器置き２の骨格２ｅ１を上向き用と下向き用に分けて設け、それぞれの骨格２ｅ１に洗浄水や乾燥用風を切り替えて供給する手段を設けることが可能である。
【０１１４】
図１７は、食器置き２の骨格２ｅ１及び、噴出孔２ｅ２と供給管９９（９９ｅ）の各種設置例を示す。
尚、洗浄水や乾燥用風を供給しない骨格２ｅ１部分は、内部に空洞を設ける必要が無く、密閉し細く或は薄くする事が可能であり、各骨格２ｅ１を接続する手段のみに用いる事が可能である。
図１７の（１７−ア）〜（１７−ウ）の骨格２ｅ１の形状は、パイプ等からなり、図１７の（１７−エ）の骨格２ｅ１の形状は、中空薄板形状等からなるが、その他の形状が可能である。
図１７の（１７−ア）の噴出孔２ｅ２は、前後方向に伸びる骨格２ｅ１に配置され、図１７の（１７−イ）の噴出孔２ｅ２は、左右方向に伸びる骨格２ｅ１に配置され、図１７の（１７−ウ）の噴出孔２ｅ２は、前後左右方向に伸びる骨格２ｅ１に配置され、図１７の（１７−エ）の噴出孔２ｅ２は、全面に配置されているが、その他の配置が可能である。
図１７の（１７−ア）の供給管９９は、左方向の側面側より３本で骨格２ｅ１に接続し、図１７の（１７−イ）の供給管９９は、後方向の側面側より５本で骨格２ｅ１に接続し、図１７の（１７−ウ）の供給管９９は、左方向の側面側より２本で骨格２ｅ１に接続し、図１７の（１７−エ）の供給管９９は、左方向の側面側より１本で骨格２ｅ１に接続しているが、その他の接続が可能である。
いずれの場合においても、骨格２ｅ１を平らに設け、噴出孔２ｅ２を骨格２ｅ１に対して直角に等間隔に設け、洗浄対象物に洗浄水を均等に供給する様に設ける。
【０１１５】
図１８、図１９は、図１４のその他の実施例であり、図１８は、図１４の手動で食器置き２を食器置き止め３に設置する手段に、自動で設置する手段を設けている。
図例では、各パーツを収納した食器置き２（２ｅ）を、洗浄槽１（１ｅ）内の食器置き止め３の突起３ｅ１付近の高さに設けた自動設置を選択する為の自動設置ボタン３ｅ２［図１８の（１８−ア）参照］或はタッチパネルに設けた自動設置を選択する為の表示部或は操作盤等に設けた自動設置を選択する為の自動設置ボタン（図示省略）の選択により、コンピュータ等の制御手段により、自動で食器置き２を倒し自動設置部３ｅ３の回転動力を制御して収納した食器置き２の骨格２ｅ１の各パーツを１本１本引き出し食器置き止め３（３ｅ）の突起３ｅ１に設置する手段を示している。［図１８の（１８−イ）参照］
【０１１６】
図１９は、図１４の手動で食器置き２を食器置き止め３に設置する手段に、ばね等の弾性材２ｅ８等の自動で形体を復元（伸長）する機能を設けている。
図例では、食器置き２（２ｅ）の骨格２ｅ１の各パーツを収納し、収縮した弾性材２ｅ８のエネルギーをロック部２ｅ３でロックし［図１９の（１９−ア）参照］、食器置き２を手動で倒し、引き続きロック解除部２ｅ４を選択する事によりロックが解除され弾性材２ｅ８が伸長し、食器置き２の骨格２ｅ１の各パーツを押し出し、食器置き２を食器置き止め３（３ｅ）の突起３ｅ１に設置する手段を示している。［図１９の（１９−イ）参照］
尚、ロック解除部２ｅ４を解除する力の量は、食器置き２を倒す時に誤って触れてもロック解除部２ｅ４を解除しない力の量であり、ロック解除部２ｅ４に触れた後に更に一押しして解除できる力の量を設定する。
尚、図１９の（１９−ア）、（１９−イ）において、ロック解除部２ｅ４が、食器置き２（２ｅ）の骨格２ｅ１に隠れて見えない為、図１９の（１９−ウ）にて、ロック時のロック解除部２ｅ４及びロック部２ｅ３を示し、図１９の（１９−エ）にて、ロック解除時のロック解除部２ｅ４及びロック部２ｅ３を示す。
【実施例３】
【０１１７】
図２０〜２６は、実施例２（図１３〜１９）のその他の実施例（実施例３）を示し、図２０は、食器洗浄装置１００（１００ｇ）の概要を示し、流し台２００の洗浄槽２０１の平面スペースより食器洗浄装置１００（１００ｇ）の洗浄槽１（１ｇ）の平面スペースを広く設けている。
洗浄槽ふた９４（９４ｇ）を、洗浄中の洗浄対象物８に付着した水滴を受け排出する手段を備えた洗浄対象物の置き場等として利用する事により、「背景技術」、「特許文献３」で記載した様に、流し台２００の洗浄槽２０１の平面スペースを従来技術より狭くしても支障が無く、更に、水栓２０２を、流し台２００の洗浄槽２０１と食器洗浄装置１００の洗浄槽１とで兼用できる位置に設け、大型や多量の洗浄対象物を、食器洗浄装置１００の洗浄槽１での手洗いを実施可能にする。
【０１１８】
図２１は、図２０の食器等の各段の食器置きの配置を示している。
図２２は、図２０の配置した食器等の内訳を示している。
即ち、図２０が示す洗浄槽（正面幅Ａ×奥行きＢ×高さＣ＝８０ＣＭ×４５ＣＭ×４０ＣＭ程度）において、
大皿８１（直径２０ＣＭ程度）＝１６枚、
小皿８２（直径１０ＣＭ程度）＝８枚、
お椀８３（直径１１ＣＭ程度）＝８個、
湯のみ８４（直径７ＣＭ程度）＝８個、
茶碗８５（直径１２ＣＭ程度）＝８個、
鍋８６（直径２３ＣＭ程度）＝２個、
フライパン８７（直径２２ＣＭ程度）＝２個
を配置できる事を示している。
即ち、図２０の平面スペースを広く設けた食器洗浄装置は、図１と食器等の数量が同じであれば、食器置きの設置段数を減らし食器等の洗浄対象物の配置を容易にする。
【０１１９】
図２３、２４は、図２０の食器置き２（２段目より上の食器置き２ｇ、或は、最下位段を含む全ての食器置き２ｆ及び２ｇ）及び食器置き止め３（３ｇ）の詳細を示す。
図２３が示す食器置き２の骨格２ｇ１は、前記の実施例２と同様に、内部を空洞にして設け、供給管９９（９９ｇ）を介して洗浄水や乾燥用風をこの空洞内部に供給し、更に、骨格２ｇ１に多数の噴出孔２ｇ２を等間隔に設け、この噴出孔２ｇ２介して洗浄対象物に向けて洗浄水や乾燥用風を均等に噴出して洗浄や乾燥を実施する手段を示している。（図２０参照）
【０１２０】
実施例３と実施例２の前記（食器洗浄装置１００（１００ｇ）の洗浄槽１（１ｇ）の平面スペースを、流し台２００の洗浄槽２０１の平面スペースより広く設ける）以外の相違点に就いての概要を著すと、次の通りである。
１、食器置き２（２段目より上の食器置き２ｇ、或は、最下位段を含む全ての食器置き２ｆ及び２ｇ）の食器置き止め３（３ｇ）への設置及び食器置き止め３よりの収納手段を、食器置き２のつなぎ部分を回動可能にして伸縮する折りたたみ式にしている。
２、供給管９９（９９ｇ）を、洗浄槽１（１ｇ）の前後の側面のいずれか一方或は双方に前後方向に伸びる骨格２ｇ１の本数と同数を設け、骨格２ｇ１の空洞内に抜き差し可能に設けている。
３、噴出孔２ｇ２の外周に回転枠２ｇ３を設け、この回転枠２ｇ３の孔は、噴出孔２ｇ２に対して角度差がある（傾斜した）孔であり、洗浄水や乾燥用風の噴出時の水圧や気圧により自動回転する手段を設けている。
４、食器置き止め３（３ｇ）は、食器置き２の設置位置に合わせて平面方向に平坦に延びる突起３ｇ１を設け、食器置き２を食器置き止め３の突起３ｇ１の上を回転或は滑らして設置する手段を設けている。
【０１２１】
例えば、図２３の（２３−ア）は、洗浄や乾燥に使用しない食器置き２（２ｇ）を示し、食器置き２の骨格２ｅ１を複数のパーツに分け、各パーツを回動可能につなぎ折りたたみ短縮し、食器置き止め３（３ｇ）より収納し、図２０が示す様に洗浄対象物８の配置の邪魔にならない様に洗浄槽１（１ｇ）の左右の側面側に納めている。
尚、図２３の（２３−ア）は、食器置き２の端の骨格２ｇ１を浮かし、食器置き２の食器置き止め３の設置時に掴み易くしている。
【０１２２】
図２３の（２３−イ）、（２３−ウ）は、洗浄や乾燥に使用する食器置き２を示し、図２３の（２３−ア）の食器置き２を食器置き止め３の突起３ｇ１の上を回転或は滑らし、食器置き２を伸ばし切り配置面を平らにした状態であり、洗浄槽１（１ｇ）に設けた供給管９９（９９ｇ）の設置位置と骨格２ｇ１設けた空洞の設置位置が重なる様に設けている。
【０１２３】
図２３の（２３−エ）は、例えば、操作盤に設けたスタートボタン（図１０参照）の選択等により、供給管９９（９９ｇ）の先端を骨格２ｇ１の空洞に抜き差しする動力を制御して、供給管９９の先端を骨格２ｇ１の空洞に接続して、洗浄水や乾燥用風をこの空洞内部に供給し、噴出孔２ｇ２を介して、各骨格２ｇ１の外周に設けた回転枠２ｇ３を自転させながら洗浄対象物８に向けて洗浄水や乾燥用風を噴出して洗浄や乾燥を実施する手段を示している。
尚、回転枠２ｇ３は、細かく分割して設ける事により、洗浄対象物８を食器置き２に載置しても、洗浄対象物８を食器置き２に載置する事により自転を困難にする回転枠２ｇ３を減らし、回転可能な回転枠２ｇ３を十分に確保する。
【０１２４】
図２４は、図２３の供給管９９の先端の骨格２ｇ１の空洞への抜き差しを明確する為に示している。
図２４の（２４−ア）は、供給管９９と骨格２ｇ１を示し、供給管９９の先端を骨格２ｇ１の空洞から抜いた状態を示す。
図２４の（２４−イ）は、供給管９９の先端を骨格２ｇ１の空洞に挿入した状態を示す。
【０１２５】
図２５、２６は、図２３、２４のその他の実施例を示す。
図２５の食器置き２（２段目より上の食器置き２ｇ、或は、最下位段を含む全ての食器置き２ｆ及び２ｇ）は、図２３、２４の供給管９９ｇから骨格２ｇ１の空洞内に洗浄水や乾燥用風を供給する手段に変えて、骨格２ｇ１の空洞内にファン２ｇ４を設け更にこのファン２ｇ４を回転させる伝動部３ｇ２を洗浄槽１（１ｇ）側に設けている。
ファン２ｇ４を伝動部３ｇ２から伝動する動力により回転させる事により、洗浄槽１（１ｇ）に貯水した洗浄水や乾燥用風を噴出或は吸引させる。
【０１２６】
図２６の食器置き２（２段目より上の食器置き２ｇ、或は、最下位段を含む全ての食器置き２ｆ及び２ｇ）は、図２３、２４の骨格２ｇ１の直線部分をステンレス等の硬質材、折り曲げ部分をゴム等の弾性材や合成樹脂等の軟性材やじゃばら等の形状記憶形体等を設けている。或は、骨格２ｇ１をゴム等の弾性材や合成樹脂等の軟性材やじゃばら等の形状記憶形体等で形成して、更に直線部分をステンレス等の硬質材で囲んでいる。
【０１２７】
以上、食器置き２の各種実施例を示したが、その他の食器置き２の実施例として、骨格２ｇ１をゴム等の弾性材や合成樹脂等の軟性材やじゃばら等の形状記憶形体等で形成して巻き取り自由に設けた食器置き２を巻き収納し引き出し設定する手段、或は、食器置き２を幾つかのパーツに切り分けて収納スペースに収納し、収納した食器置き２を食器置き止め３に設置する為に引き出す時に、引き出す側の各パーツにより収納スペースに残留している側の各パーツを順次引っ掛けて取り出す手段、或は、食器置き２を洗浄槽１の外に設けた収納スペースに収納し、この収納スペースより引き出し設置する手段等が可能であり、これらを自動或は手動で実施する手段が可能である。
食器置き２は、水平方向に設けた食器置きで示したが、傾斜を持たせて横方向に設置する事が可能である。
【０１２８】
尚、実施例１において、洗浄水の供給の強弱の調整を食器置き２の（ファン２ｃ２の）厚みの区分或は回転数の調節で示しているが、実施例２、３においては、食器置き２の骨格（例えば２ｅ１等）の噴出孔（例えば２ｅ２等）や空洞や供給管９９の孔の絞り込み手段或は洗浄水を供給吸引する為の動力の回転数を調節する手段を、実施例１と同様に、食器置き全体の単位或はグループに分けた食器置きの単位或は個別の食器置きの単位に設け、タッチパネルの表示部或は操作盤のボタン等で指示を出し、これを制御する手段を設けることが可能である。
【０１２９】
以上、実施例２、３において、
「洗浄槽（１）内の大皿（８１）及びお椀（８３）及び茶碗（８５）を含む洗浄対象物（８）を配置する部である食器置き（２）の洗浄対象物（８）を配置する面である配置面に配置した洗浄対象物（８）の洗浄を自動で実施する食器洗浄装置（１００）において、配置面と配置面より直接的に洗浄する洗浄手段を一体化形成して洗浄対象物（８）に対応して配置面と洗浄手段を伸縮或は着脱する作業を１つの作業にした食器置き（２）の個別或はグループ別に洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替えのいずれかの１つ或は複数の洗浄条件を変更する手段を設け同時に異なる洗浄条件で洗浄する手段を設けた食器洗浄装置（１００）。」（請求項１）を示し、
「食器置き（２）を倒して複数段を洗浄槽（１）内に設置する為の食器置き止め（３）を高さ方向に等間隔に複数段を設け、洗浄対象物（８）の全ての内側方向の全面と相対して配置できる全面が平らな配置面の食器置き（２）を洗浄槽（１）内に倒して複数段を食器置き止め（３）に設置する手段を設けた請求項１の食器洗浄装置（１００）。」（請求項２）を示し、
「食器置き（２）を倒して複数段を洗浄槽（１）内に設置する為の食器置き止め（３）を高さ方向に等間隔に複数段を設け、洗浄対象物（８）の全ての内側方向の全面と相対して配置できる全面が平らな配置面の食器置き（２）を洗浄対象物（８）の個別の厚みに対応して適合する位置の食器置き止め（３）を選択して設置する手段を設けた請求項１の食器洗浄装置（１００）。」（請求項４）を示し、
「配置した皿（８）の全ての内側方向の全面と相対して配置できる全面が平らな配置面の食器置き（２）であり、洗浄水を供給するための噴出孔（２ｅ２等）を等間隔に設け配置した皿（８）の全ての内側方向の全面と洗浄手段が相対して洗浄できる手段を備えた食器置き（２）を設け、配置した皿（８）の内側方向の全面に対して直接、均等に洗浄水を供給できる食器置き（２）を設けた請求項１の食器洗浄装置（１００）。」（請求項６）を示し、
「食器置き（２）を倒して伸縮或は着脱して洗浄槽（１）の内部に重ねて設置する為の食器置き止め（３）を等間隔で設け、複数の倒して設けた食器置き（２）を分割して、分割して倒して設けた食器置き（２）を食器置き止め（３）の複数段に設置する手段を設けた請求項１の食器洗浄装置（１００）。」（請求項７）を示し、
「流し台（２００）の洗浄槽（２０１）の平面スペースより洗浄槽（１）の平面スペースを広く設け、水栓（２０２）を流し台（２００）の洗浄槽（２０１）と兼用出来る位置に洗浄槽（１）を設けた請求項１の食器洗浄装置（１００）。」（請求項８）を示す。
【実施例４】
【０１３０】
（「配置面と洗浄手段を一体化して立てて設けた食器置き」に関して。）
尚、これまで（実施例１〜３）の記載について、「配置面と洗浄手段を一体化して倒して設けた食器置き」を「食器置き」と呼称してきたが、
これ以後の実施例４の記載については、「配置面と洗浄手段を一体化して倒して設けた食器置き」を「水平方向の食器置き」と呼称し、
「配置面と洗浄手段を一体化して立てて設けた食器置き」を「縦方向の食器置き」と呼称する。
図２７は、縦方向の食器置き２１ｈ（２１）を設けた食器洗浄装置１００ｈ（１００）の概要に関して示す。
【０１３１】
図２７が示す縦方向の食器置き２１ｈ（２１）は、
「洗浄槽（１）内の大皿（８１）及びお椀（８３）及び茶碗（８５）を含む洗浄対象物（８）を配置する部である食器置き（２１）の洗浄対象物（８）を配置する面である配置面に配置した洗浄対象物（８）の洗浄を自動で実施する食器洗浄装置（１００）において、配置面と配置面より直接的に洗浄する洗浄手段を一体化形成して洗浄対象物（８）に対応して配置面と洗浄手段を伸縮或は着脱する作業を１つの作業にした食器置き（２１）の個別或はグループ別に洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替えのいずれかの１つ或は複数の洗浄条件を変更する手段を設け同時に異なる洗浄条件で洗浄する手段を設けた食器洗浄装置（１００）。」（請求項１）を示し、
「食器置き（２１）を立てて複数列を洗浄槽（１）内に設置する為の食器置き止め（３）を水平方向に等間隔に複数列を設け、洗浄対象物（８）の全ての内側方向の全面と相対して配置できる全面が平らな配置面の食器置き（２１）を洗浄槽（１）内に立てて複数列を食器置き止め（３）に設置する手段を設けた請求項１の食器洗浄装置（１００）。」（請求項３）を示し、
「食器置き（２１）を立てて複数列を洗浄槽（１）内に設置する為の食器置き止め（３）を水平方向に等間隔に複数列を設け、皿（８）の全ての内側方向の全面と相対して配置できる全面が平らな配置面と配置面より直接的に洗浄する洗浄手段を一体化形成して皿（８）の口縁の広さに合わせて同時に伸縮する手段或は皿（８）の配置時に同時に短縮する手段を備えた食器置き（２１）を立てて複数列を食器置き止め（３）に設置する手段を設けた請求項１の食器洗浄装置（１００）。」（請求項５）を示し、
「配置した皿（８）の全ての内側方向の全面と相対して配置できる全面が平らな配置面の食器置き（２１）であり、洗浄水を供給するための噴出孔（２１ｊ２等）を等間隔に設け配置した皿（８）の全ての内側方向の全面と洗浄手段が相対して洗浄できる手段を備えた食器置き（２１）を設け、配置した皿（８）の内側方向の全面に対して直接、均等に洗浄水を供給できる食器置き（２１）を設けた請求項１の食器洗浄装置（１００）。」（請求項６）を示す。
【０１３２】
更に、図２７が示す水平方向の食器置き２ｈ（２）は、
「洗浄槽（１）内の大皿（８１）及びお椀（８３）及び茶碗（８５）を含む洗浄対象物（８）を配置する部である食器置き（２）の洗浄対象物（８）を配置する面である配置面に配置した洗浄対象物（８）の洗浄を自動で実施する食器洗浄装置（１００）において、配置面と配置面より直接的に洗浄する洗浄手段を一体化形成して洗浄対象物（８）に対応して配置面と洗浄手段を伸縮或は着脱する作業を１つの作業にした食器置き（２）の個別或はグループ別に洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替えのいずれかの１つ或は複数の洗浄条件を変更する手段を設け同時に異なる洗浄条件で洗浄する手段を設けた食器洗浄装置（１００）。」（請求項１）を示し、
「食器置き（２）を倒して複数段を洗浄槽（１）内に設置する為の食器置き止め（３）を高さ方向に等間隔に複数段を設け、洗浄対象物（８）の全ての内側方向の全面と相対して配置できる全面が平らな配置面の食器置き（２）を洗浄槽（１）内に倒して複数段を食器置き止め（３）に設置する手段を設けた請求項１の食器洗浄装置（１００）。」（請求項２）を示し、
「食器置き（２）を倒して複数段を洗浄槽（１）内に設置する為の食器置き止め（３）を高さ方向に等間隔に複数段を設け、洗浄対象物（８）の全ての内側方向の全面と相対して配置できる全面が平らな配置面の食器置き（２）を洗浄対象物（８）の個別の厚みに対応して適合する位置の食器置き止め（３）を選択して設置する手段を設けた請求項１の食器洗浄装置（１００）。」（請求項４）を示し、
「配置した皿（８）の全ての内側方向の全面と相対して配置できる全面が平らな配置面の食器置き（２）であり、洗浄水を供給するための噴出孔（２ｊ２等）を等間隔に設け配置した皿（８）の全ての内側方向の全面と洗浄手段が相対して洗浄できる手段を備えた食器置き（２）を設け、配置した皿（８）の内側方向の全面に対して直接、均等に洗浄水を供給できる食器置き（２）を設けた請求項１の食器洗浄装置（１００）。」（請求項６）を示し、
「食器置き（２）を倒して伸縮或は着脱して洗浄槽（１）の内部に重ねて設置する為の食器置き止め（３）を等間隔で設け、複数の倒して設けた食器置き（２）を分割して、分割して倒して設けた食器置き（２）を食器置き止め（３）の複数段に設置する手段を設けた請求項１の食器洗浄装置（１００）。」（請求項７）を示す。
【０１３３】
例えば、図２７が示す縦方向の食器置き２１ｈ（２１）は、水平方向の食器置き２ｈ（２）に垂直に立てて着脱自由に設け、縦方向の食器置き２１ｈ（２１）に設けた接続挿入部２１ｊ３（図２９、３１参照、後記詳細）を水平方向の食器置き２ｈ（２）に設けた食器置き止め３ｊ（３）の接続挿入口３ｊ３（図２９、３０、３１参照、後記詳細）に挿入する事に因り、洗浄水の供給を水平方向の食器置き２ｈ（２）から縦方向の食器置き２１ｈ（２１）に切り替える手段を設け、縦方向の食器置き２１ｈ（２１）の骨格２１ｈ１から洗浄水を直角に供給する噴出孔を等間隔に設け、縦方向の食器置き２１ｈ（２１）に皿８１、８２、８８、８９を相対して立てて配置することにより、全てのサイズの皿の内側方向の全面と洗浄水を供給する面が相対して設けられ、洗浄水を水平方向（直角）に均等に供給する。（詳細は後記。）
【０１３４】
即ち、図２７が示す縦方向の食器置き２１ｈ（２１）の形体は、配置面が平らな食器置き２１ｈ（２１）であり、皿（８１等）の配置場所を明確に示し、単純な作業で皿を配置し異なるサイズの皿であっても皿の配置を容易に可能にし、皿の内側方向の全面にむら無く、効率よく洗浄を実施する。
更に、実施例１〜３で著した様に、水平方向の食器置き２ｈ（２）を２分割して、例えば、図の右側に示す３段目の食器置き止め３ｉ（３）に水平方向の食器置き２ｉ（２）を容易に設置し、お椀８３（洗浄対象物８）を容易に配置する。
【０１３５】
更に、図２７が示す縦方向の食器置き２１ｈ（２１）は、骨格２１ｈ１を複数のパーツに分割して、手動操作により分割した骨格２１ｈ１のパーツの細口側を太口側に収納して短縮し引き出して伸長する伸縮手段を設け、皿の配置時には、配置する皿の高さに合わせ骨格２１ｈ１を伸縮させ、配置した皿の内側方向の全面とこの配置面が相対して配置され、更に、配置する皿の厚みに合わせて縦方向の食器置き２１ｈ（２１）の水平方向の食器置き２ｈ（２）への設置間隔を狭くなる様に調節して、洗浄対象物の配置場所を効率よく使用できることを示している。
【０１３６】
例えば、図例では、大皿８１より更に口縁の広い大皿８８の配置は、配置した皿の高さに合わせて縦方向の食器置き２１ｈ（２１）の骨格２１ｈ１を洗浄槽のふた９４ｈ（９４）の間際まで伸ばし、口縁の狭い小皿８２の配置は、配置した皿の高さに合わせて縦方向の食器置き２１ｉ（２１）の骨格２１ｈ１を食器置き止め３ｉ（３）の３段目下まで縮め、食器置き止め３ｉ（３）の上に水平方向の食器置き２ｉ（２）を設置し、この上にお椀８３を配置し、更に、大皿８１、８８、小皿８２より見込の深い深鉢８９の配置は、大皿８１、８８、小皿８２の倍の間隔で水平方向の食器置き２ｈ（２）に縦方向の食器置き２１ｈ（２１）を設置している。
【０１３７】
更に、図２７は、洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替え等の洗浄条件を選択して設定する手段を食器置き２１の個別或はグループ別に設け、個別或はグループ別の異なる洗浄条件で洗浄対象物８の洗浄を実施する。
例えば、左側の縦方向の食器置き２１ｈ（２１）に配置した汚れの酷い大皿８１、８８、深鉢８９を、右側の食器置き２１、２に配置した軽微な汚れの小皿８２、お椀８３等よりも強力な条件で洗浄を実施する事を可能にする。
或は、縦方向の食器置き２１ｈ（２１）の個別に前記の洗浄条件を選択して設定して実施する手段を設け、例えば、皿８１、８２、８８、８９の個別の汚れに応じた個別の洗浄条件での洗浄を可能にする。
【０１３８】
尚、縦方向の食器置き２１ｈ（２１）においても、図１９が示すように、骨格２１ｈ１に弾性材を設け、骨格２１ｈ１を手動で短縮し短縮した状態をロックしロック状態を解除し、骨格２１ｈ１を復元（伸長）する機能を設けることが可能である。
尚、縦方向の食器置き２１ｈ（２１）を垂直に設けているが、傾斜させて設けることが可能である。
【０１３９】
図２８は、図２７のその他の実施例であり、洗浄槽のふた９４ｊ（９４）の開閉に合わせて、水平方向の食器置き２ｊ（２）が自動で上下動して、この水平方向の食器置き２ｊ（２）の上下動に合わせて、縦方向の食器置き２１ｊ（２１）の骨格２１ｊ１が自動で伸縮する手段を図２７の食器洗浄装置に付与した食器洗浄装置１００ｊ（１００）の概要を示す。
【０１４０】
図２８の（２８−ア）は、洗浄対象物８を食器置き２１ｊ（２１）、２ｊ（２）に配置する前を示し、洗浄槽のふた９４ｊ（９４）を閉じた状態を示す。
図の左側の水平方向の食器置き２ｊ（２）が、洗浄槽１ｊ（１）の底近くの位置にあり、縦方向の食器置き２１ｊ（２１）の骨格２１ｊ１が伸長した状態にある。
【０１４１】
図２８の（２８−イ）は、洗浄対象物８の食器置き２１ｊ（２１）、２ｊ（２）の配置面への配置時を示し、洗浄槽のふた９４ｊ（９４）を開放した状態を示す。
洗浄槽のふた９４ｊ（９４）の開閉動作と水平方向の食器置き２ｊ（２）の上下動の動作が直接連動して或は洗浄槽のふた９４ｊ（９４）の開閉動作が水平方向の食器置き２ｊ（２）の上下動の動力の制御装置を作動して、水平方向の食器置き２ｊ（２）の両脇に設けた２本のガイド３ｊ８に沿って、水平方向の食器置き２ｊ（２）を皿８１、８８、８９の配置しやすい上方の位置に移動させ、同時に水平方向の食器置き２ｊ（２）の移動に合わせて縦方向の食器置き２１ｊ（２１）の骨格２１ｊ１を短縮させ、皿を配置しやすい形体に変化させている。
【０１４２】
図２８の（２８−ウ）は、洗浄対象物８の食器置き２１ｊ（２１）、２ｊ（２）の配置面での洗浄時を示し、洗浄槽のふた９４ｊ（９４）を閉じた状態を示す。
洗浄槽のふた９４ｊ（９４）の開閉動作と水平方向の食器置き２ｊ（２）の上下動の動作が直接連動して或は洗浄槽のふた９４ｊ（９４）の開閉動作が水平方向の食器置き２ｊ（２）の上下動の動力の制御装置を作動して、水平方向の食器置き２ｊ（２）を洗浄槽１ｊ（１）の底近くの位置に移動させ、同時に水平方向の食器置き２ｊ（２）の移動に合わせて縦方向の食器置き２１ｊ（２１）の骨格２１ｊ１を伸長させ、配置した全てのサイズの皿８１、８８、８９の内側方向の全面を縦方向の食器置き２１ｊ（２１）の配置面と相対して配置させ、配置した全てのサイズの皿８１、８８、８９の内側方向の全面に洗浄水を供給し、むらの無い強力洗浄を実施する。
尚、図２８において、水平方向の食器置き２ｊ（２）に縦方向の食器置き２１ｊ（２１）を設置せずに、水平方向の食器置き２ｊ（２）のみを上下動させ、２段目より上の水平方向の食器置き２の設置やこれらの水平方向の食器置き２への洗浄対象物８の配置を容易にする事が可能である。
【０１４３】
図２９〜３２は、図２８の食器置きに関しての詳細について示す。
図２９は、縦方向の食器置き２１ｊ（２１）を水平方向の食器置き２ｊ（２）に設置する前を示す側面図であり、縦方向の食器置き２１ｊ（２１）の接続挿入部２１ｊ３を水平方向の食器置き２ｊ（２）に設けた食器置き止め３ｊ（３）の接続挿入口３ｊ３に挿入する前を示す。
更に、縦方向の食器置き２１ｊ（２１）に皿を立てて配置面に相対して配置した場合に、洗浄水を水平方向に供給する為の噴出孔２１ｊ２及び２ｊ２ａを縦方向の食器置き２１ｊ（２１）の骨格２１ｊ１及び水平方向の食器置き２ｊ（２）の骨格２ｊ１に直角に等間隔に設けている事を示す。
尚、図例では、縦方向の食器置き２１ｊ（２１）の骨格２１ｊ１を２分割して示しているが、２分割以外の複数のパーツに分割することが可能であり、各パーツの長さは同じでも異なっても可能である。又、縦方向の食器置き２１ｊ（２１）の骨格２１ｊ１を分割せず１枚で設けてもよい。
尚、２分割した縦方向の食器置き２１ｊ（２１）の骨格２１ｊ１をつなぐ接続部を設け水平方向の食器置き２ｊ（２）の骨格２ｊ１に配置した縦方向の食器置き２１ｊ（２１）の骨格２１ｊ１を、更に安定させる事が可能である。（図示省略）
【０１４４】
図３０は、水平方向の食器置き２ｊ（２）と縦方向の食器置き２１ｊ（２１）を示す平面図であり、水平方向の食器置き２ｊ（２）は、実施例１〜３の水平方向の食器置き２に縦方向の食器置き２１ｊ（２１）を接続するための食器置き止め３ｊ（３）の接続挿入口３ｊ３を設けている事を示す。
この食器置き止め３ｊ（３）の接続挿入口３ｊ３は、縦方向の食器置き２１ｊ（２１）を垂直に立て、等間隔に設け縦方向の食器置き２１ｊ（２１）を洗浄対象物８の厚みに対応して空間スペースの少ない位置を選択して設置する様に設けている。
更に、実施例１〜３の水平方向の食器置き２の骨格と同様に洗浄水を垂直方向（直角）に等間隔に噴出し、洗浄対象物８に均等に供給する為の噴出孔２ｊ２を設けている事を示す。
【０１４５】
図３１は、縦方向の食器置き２１ｊ（２１）の水平方向の食器置き２ｊ（２）への設置手順を示す部分断面側面図であり、
図３１の（３１−ア）は、縦方向の食器置き２１ｊ（２１）を水平方向の食器置き２ｊ（２）に設置する前を示す。
即ち、水平方向の食器置き２ｊ（２）の骨格２ｊ１に接続されている供給管９９ｊ（９９）より骨格２ｊ１の空洞内部に供給された洗浄水は、骨格２ｊ１の空洞内の上下に設けた上部の洗浄水切替え口２ｊ４及び下部の洗浄水切替え口２ｊ５が閉鎖されている為、実施例１〜３の水平方向の食器置き２と同様に等間隔に設けた噴出孔２ｊ２より洗浄水を垂直方向（直角）に噴射し、洗浄対象物８に均等に供給する。
【０１４６】
図３１の（３１−イ）は、縦方向の食器置き２１ｊ（２１）に設けた接続挿入部２１ｊ３を水平方向の食器置き２ｊ（２）に設けた食器置き止め３ｊ（３）の接続挿入口３ｊ３に挿入することにより、上部の洗浄水切替え口２ｊ４及び下部の洗浄水切替え口２ｊ５が開放され、上部の洗浄水切替え口２ｊ４からは、洗浄水を縦方向の食器置き２１ｊ（２１）の骨格２１ｊ１の空洞内に供給し、図２９で示す噴出孔２１ｊ２より洗浄水を水平方向（直角）に均等に縦方向の食器置き２１ｊ（２１）の配置面に相対して立てて配置した皿の下部を除く部分に供給し、更に、下部の洗浄水切替え口２ｊ５からは、洗浄水を水平方向の食器置き２ｊ（２）の骨格２ｊ１の下部の空洞内部に供給され図２９で示す噴出孔２ｊ２ａより洗浄水を水平方向（直角）に均等に水平方向の食器置き２ｊ（２）の配置面に相対して立てて配置した皿の下部に供給する。
【０１４７】
尚、この洗浄水の垂直方向から水平方向の供給の切り替え（噴出孔２ｊ２から噴出孔２ｊ２ａの切替え）は、水平方向の食器置き２ｊ（２）から皿の下部が下がらない形体（例えば、水平方向の食器置き２ｊ（２）の骨格２ｊ１を間隔の狭い格子等にした形体）を設ける事によりこの設置を省略する事が可能である。
更に、この洗浄水の垂直方向から水平方向の供給の切り替えは、図例以外に、それぞれの噴出孔２ｊ２、２ｊ２ａ、２１ｊ２を備えた骨格に洗浄水を供給するそれぞれの供給管９９ｊ（９９）を設け、この供給管９９ｊ（９９）にコック等の切り替え手段を設け、手動でこのコック等を開閉する手段、或は、上部の洗浄水切替え口２ｊ４及び下部の洗浄水切替え口２ｊ５に電動で開閉を切り替える手段を設け、洗浄槽のふた９４ｊ（９４）の開閉動作によりこれを制御する手段を設ける。或は、操作盤にこの開閉を切り替えるボタンを設け或はタッチパネルにこの開閉を切り替える表示部を設け、これを選択して指示する手段を設ける。（図示参照。）
即ち、この洗浄水の垂直方向から水平方向の供給の切り替え技術と縦方向の食器置き２１ｊ（２１）に設けた接続挿入部２１ｊ３を水平方向の食器置き２ｊ（２）に設けた食器置き止め３ｊ（３）の接続挿入口３ｊ３に挿入する技術を別々に設けることを可能にする。
【０１４８】
図３１の（３１−ウ）は、水平方向の食器置き２ｊ（２）上下動作に伴い、縦方向の食器置き２１ｊ（２１）の骨格２１ｊ１を伸縮させる為の作業を示している。
即ち、縦方向の食器置き２１ｊ（２１）の上部に設けた上部固定用アーム２１ｊ６を洗浄槽１ｊ（１）の上部に設けた上部固定用突部３ｊ６に固定し、更に水平方向の食器置き２ｊ（２）の食器置き止め３ｊ（３）の接続挿入口３ｊ３に挿入した縦方向の食器置き２１ｊ（２１）の接続挿入部２１ｊ３を確実に固定する為の作業を示している。
【０１４９】
詳しくは、上部固定用アーム２１ｊ６は、２本のアームからなりアームの回転操作部２１ｊ７を介して２本のアームを前後の位置及び上下の位置に回転させる手段を設け、上部固定用アーム２１ｊ６の２本のアームを前後の位置に設定し［（３１−ア）参照］、縦方向の食器置き２１ｊ（２１）の接続挿入部２１ｊ３を水平方向の食器置き２ｊ（２）の食器置き止め３ｊ（３）の接続挿入口３ｊ３に挿入し、洗浄槽１ｊ（１）設けた上部固定用突部３ｊ６を上部固定用アーム２１ｊ６の２本のアームの間で挟み、［（３１−イ）参照、］上部固定用アーム２１ｊ６の２本のアームを上下の位置に回転させる事により、上部固定用突部３ｊ６の上下方向を上部固定用アーム２１ｊ６の２本のアームで固定し、縦方向の食器置き２１ｊ（２１）を洗浄槽１ｊ（１）に固定する［（３１−ウ）参照］。
【０１５０】
更に、アームの回転操作部２１ｊ７の回転に伴いカム等のアームの回転操作部２１ｊ７の回転動を上下動に変える手段をアームの回転操作部２１ｊ７に設け、この手段により連絡部２１ｊ８を下降させ、連絡部２１ｊ８により下部固定用押さえ部２ｊ９を押し下げ、下部固定用押さえ部２ｊ９により下部固定用突部２１ｊ９を押さえ固定する。［図３１の（３１−ウ）参照］
【０１５１】
この作用により、縦方向の食器置き２１ｊ（２１）の接続挿入部２１ｊ３と水平方向の食器置き２ｊ（２）の食器置き止め３ｊ（３）の接続挿入口３ｊ３を固定し、図２８が示すように、洗浄槽のふた９４ｊ（９４）の開閉操作により、水平方向の食器置き２ｊ（２）を上下動作させ、縦方向の食器置き２１ｊ（２１）の骨格２１ｊ１を伸縮させ、皿の配置や洗浄に適した位置や形体を確保する。
【０１５２】
尚、図３１の縦方向の食器置き２１ｊ（２１）の水平方向の食器置き２ｊ（２）への設置手順のその他の実施例として、縦方向の食器置き２１ｊ（２１）の接続挿入部２１ｊ３と水平方向の食器置き２ｊ（２）の食器置き止め３ｊ（３）の接続挿入口３ｊ３に、その他のロック、ロック解除手段、噛み合わせ手段、圧迫手段、密着手段等を設けることが可能である。
【０１５３】
図３２は、縦方向の食器置き２１ｊ（２１）の分割した骨格２１ｊ１の太口側のパーツと細口側のパーツをつなぎ固定する接続部２１ｊ１０について示す。
図３２の（３２−ア）は、接続前を示し、双方のパーツを目一杯伸長することにより双方のパーツを密着接続する。
即ち、パーツ毎の単位で伸縮する接続部２１ｊ１０を示し、接続部２１ｊ１０の太口側のパーツの内壁と細口側のパーツの外壁のいずれか一方或は双方にゴムや合成樹脂等の弾性材等の接続部材を設け、各パーツを伸長する事により接続部２１ｊ１０を密着固定し水漏れを防止する。
更に、接続部２１ｊ１０の細口側のパーツの外側を太口側のパーツの内側より細くすることにより、骨格２１ｊ１の伸縮時のこすれ抵抗を少なくして、骨格２１ｊ１の伸縮をスムーズにする。
或は、接続部２１ｊ１０の細口側のパーツの外側を太口側のパーツの内側に密着させて設ける事により、伸縮後の任意の位置の接続部２１ｊ１０を密着し固定保持する。（図示省略。）
【０１５４】
図３２の（３２−イ）は、（３２−ア）の接続部２１ｊ１０に凹凸によるかみ合わせ等を設け伸縮を明確確実にしている。
【０１５５】
図３２の（３２−ウ）は、（３２−イ）の接続部２１ｊ１０に凹凸によるかみ合わせ等を付け加えて（凹凸によるかみ合わせ等を複数にして）設け、（３２−イ）のパーツ毎の単位で伸縮する接続する手段に多段階で接続する手段を設けている。
例えば、接続時に太口側と細口側の骨格２１ｊ１の噴出孔２ｊ２を重なる位置に設け、更に、回転して噴出孔２ｊ２の位置がずれなくする為に、骨格２１ｊ１を楕円や角等の回転できない形体にしている。
尚、図例では、接続部２１ｊ１０を平行に設けているが、接続部２１ｊ１０或は骨格２１ｊ１の全体に傾斜を設け接続固定水漏れを防止する接続部を設ける事が可能である。
尚、図例では、縦方向の食器置き２１ｊ（２１）の接続部２１ｊ１０で示しているが、水平方向の食器置き２ｊ（２）の接続部にも適用可能である。
【０１５６】
図３３は、図２８において、水平方向の食器置き２を下降させることにより、縦方向の食器置き２１の下部の全てを同時に下降させ、配置した全ての皿８１、８８、８９を同時に下降させる手段で示しているが、その他の実施例として、縦方向の食器置き２１ｑ（２１）の下部を個別に下降させ、配置した皿８１、８８、８９を個別に下降させる手段を示している。
【０１５７】
詳しくは、食器置き止め３ｑ（３）の接続挿入口３ｑ３は、皿の受け止め部３ｑ９及び供給管９９ｑ（９９）を備え、洗浄槽１ｑ（１）の側面下方に等間隔に上下可動に設け、水平方向の食器置き２ｑ（２）の上昇動作に連動し一度に上昇し、更に、食器の配置時の手動による押し下げにより個別に下降する手段を設け、更に、皿８１、８８、８９の厚みに対応して適合する位置を選択して、縦方向の食器置き２１ｑ（２１）の骨格２１ｑ１の最下部を挿入して設置する手段を設け、食器置き止め３ｑ（３）の接続挿入口３ｑ３に縦方向の食器置き２１ｑ（２１）の骨格２１ｑ１の最下部を挿入する事により、供給管９９ｑ（９９）内の止水弁を開き（図示省略）、洗浄水を縦方向の食器置き２１ｑ（２１）の骨格２１ｑ１の空洞内に供給する手段を備える（図３１参照）。
尚、接続挿入口３ｑ３は、皿の受け止め部３ｑ９及び供給管９９ｑ（９９）を着脱可能に備える事ができる。
【０１５８】
更に、縦方向の食器置き２１ｑ（２１）の骨格２１ｑ１の最上部は、食器置き止め３ｑ（３）の接続挿入口３ｑ３の設置位置に合わせて洗浄槽１ｑ（１）の側面上方に等間隔に設けた上部固定用突部３ｑ６に挿入し設置し、皿８１、８８、８９の配置時及び取り出し時の高さに対応して縦方向の食器置き２１ｑ（２１）の骨格２１ｑ１を上下に伸縮する手段を設ける。
【０１５９】
即ち、図２８の一体化した縦方向の食器置き２１の下降動と水平方向の食器置き２の下降動を分離させ、水平方向の食器置き２ｑ（２）を上昇後に水平方向の食器置き２ｑ（２）を下降させても、縦方向の食器置き２１ｑ（２１）の短縮状態を保持し皿８１、８８、８９の配置を容易にする上昇位置で保持し、配置した皿８１、８８、８９を皿の受け止め部３ｑ９で個別に受け止め保持し、更に配置した皿８１、８８、８９に個別に力を加え、皿の受け止め部３ｑ９を個別に押し下げることにより、個々の皿８１、８８、８９の内側方向の全面と縦方向の食器置き２１ｑ（２１）の皿８１、８８、８９の配置面が相対して配置する。
【０１６０】
図３３の（３３−ア）は、皿を縦方向の食器置き２１ｑ（２１）に配置する前を示し、洗浄槽ふた９４ｑ（９４）を閉じた状態を示す。
水平方向の食器置き２ｑ（２）は、洗浄槽１ｑ（１）の底近くにあり、縦方向の食器置き２１ｑ（２１）は、骨格２１ｑ１の太口側から細口側を繰り出し伸長した状態にある。［図２８の（２８−ア）参照］
【０１６１】
図３３の（３３−イ）は、洗浄槽ふた９４ｑ（９４）の開放動作により、水平方向の食器置き２ｑ（２）が上昇し、縦方向の食器置き２１ｑ（２１）の骨格２１ｑ１の細口側が太口側に収納され、縦方向の食器置き２１ｑ（２１）が短縮し、縦方向の食器置き２１ｑ（２１）に設けた皿の受け止め部３ｑ９が皿の配置を容易にする位置に上昇した状態を示す。
【０１６２】
図３３の（３３−ウ）は、前記の（３３−イ）より継続している洗浄槽ふた９４ｑ（９４）の開放動作により水平方向の食器置き２ｑ（２）が下降し、水平方向の食器置き２ｑ（２）が下降しても、縦方向の食器置き２１ｑ（２１）の短縮状態が保持され、縦方向の食器置き２１ｑ（２１）に設けた皿の受け止め部３ｑ９が皿の配置を容易にする位置に上昇した状態を保持している事を示す。
【０１６３】
図３３の（３３−エ）は、短縮状態の縦方向の食器置き２１ｑ（２１）に、皿８１、８８、８９を配置し、更に配置した皿８１、８８、８９に力を加えて、食器置き止め３ｑ（３）の皿の受け止め部３ｑ９を押し下げ、縦方向の食器置き２１ｑ（２１）の骨格２１ｑ１の太口側から細口側を繰り出し伸長し、縦方向の食器置き２１ｊ（２１）の皿８１、８８、８９の配置面と皿の内側方向の全面とが相対して配置する事を示している。
【０１６４】
図３３の（３３−オ）は、縦方向の食器置き２１ｑ（２１）の骨格２１ｑ１の最上部と上部固定用突部３ｑ６の接続方法を示す。
即ち、縦方向の食器置き２１ｑ（２１）の骨格２１ｑ１の最上部に設けたロック部の凸部２１ｑ１３が上部固定用突部３ｑ６に設けたロック部の凹部２１ｑ１４に挿入する事によりロックされ、ロック部の凸部２１ｑ１３を押しロック部の凹部２１ｑ１４からロック部の凸部２１ｑ１３を押し出す事によりロック解除されることを示す。
尚、縦方向の食器置き２１ｑ（２１）の骨格２１ｑ１の最下部と食器置き止め３ｑ（３）の接続挿入口３ｑ３の接続方法は、この接続方法（縦方向の食器置き２１ｑ（２１）の骨格２１ｑ１の最上部と上部固定用突部３ｑ６）に準じる。
更に、皿の受け止め部３ｑ９を上昇位置で保持する手段は、縦方向の食器置き２１ｑ（２１）の骨格２１ｑ１の太口側の上部と細口側の上部の接し面に、かみ合わせ手段、ロック・ロック解除手段、圧迫手段、粘着手段等を設ける。
例えば、図３３の（３３−オ）では、縦方向の食器置き２１ｑ（２１）の骨格２１ｑ１の細口側の外周の上部に凹部２１ｑ１２を設け、太口側の内周の上部に突部２１ｑ１１を設け、縦方向の食器置き２１ｑ（２１）の短縮時にかみ合い、縦方向の食器置き２１ｑ（２１）の短縮状態を保持する。
【０１６５】
図３４は、図３３において、下降した縦方向の食器置き２１［即ち、食器置き止め３ｑ（３）の皿の受け止め部３ｑ９］の上昇を、水平方向の食器置き２の上昇の連動作用により実施する手段で示したが、その他の実施例として、縦方向の食器置き２１ｒ（２１）等に設けた、バネ等の弾性材の復元力により実施する手段を示している。
即ち、洗浄槽ふた９４ｒ（９４）の開閉動作を、縦方向の食器置き２１ｒ（２１）の骨格２１ｒ１の伸縮動作に連動させる作用を必要としない手段を示している。
【０１６６】
図３４の（３４−ア）は、縦方向の食器置き２１ｒ（２１）に皿を配置する前を示し、縦方向の食器置き２１ｒ（２１）の骨格２１ｒ１の太口側に細口側を収納し短縮した状態を示す。
【０１６７】
図３４の（３４−イ）は、皿８１、８８の配置時を示し、短縮した縦方向の食器置き２１ｒ（２１）に皿８１、８８を配置し、皿８１、８８を押し食器置き止め３ｒ（３）の皿の受け止め部３ｒ９を押し下げる事により、縦方向の食器置き２１ｒ（２１）が伸長し、伸長状態を保持した状態を示す。
例えば、縦方向の食器置き２１ｒ（２１）の骨格２１ｒ１の太口側の内部に設けたバネ等の弾性材が伸長し、伸長状態を保持した状態を示す。
【０１６８】
図３４の（３４−ウ）は、洗浄が終了し皿８１、８８の取り出し時を示す。
伸長状態を保持した縦方向の食器置き２１ｒ（２１）が配置した皿８１、８８を押し込み、皿の受け止め部３ｒ９を押し込む事により、保持状態が解除され、弾性材が復元（短縮）し、縦方向の食器置き２１ｒ（２１）の骨格２１ｒ１の太口側に細口側が収納され、皿８１、８８を取り出しやすい位置に持ち上げた状態を示す。
【０１６９】
図３５は、図３３、３４で示す食器置き止め３に設けた皿の受け止め部（図３５では３ｓ９）を骨格（図３５では２１ｓ１）に上下動可能に設け、皿の口縁の径に合わせて上下動させ皿の配置しやすい位置に保持する手段を示す。
図３５の（３５−ア）は、皿の受け止め部３ｓ９の位置が、口縁の径の最も大きい皿に適している事を示す。
図３５の（３５−イ）は、皿の受け止め部３ｓ９の位置が、（３５−ア）より口縁の径の小さい皿に適している事を示す。
【０１７０】
図３６の（３６−ア）は、図２８で示す食器洗浄装置の洗浄槽のふたの開閉動作Ｈを連動部３ｊ８を介して水平方向の食器置きの上下動に作用する動作Ｉに伝動させる為の作用を示す。
図例の連動部３ｊ８は、水平方向の食器置きの上下動の移動幅を切替える手段を備える。
（図例では、連動部３ｊ８に異なる円径を設け、円径の切替え手段を設け、円径を切替える事により実施する。）
更に、図２９〜３１で示す洗浄槽１ｊ（１）に設けた上部固定用突部３ｊ６を高さ方向に複数段設け、これを選択して縦方向の食器置き２１ｊ（２１）に設けた上部固定用アーム２１ｊ６で固定することが可能であり（図示省略）、この技術と図３６の（３６−ア）の水平方向の食器置きの上下動の移動幅を切替える手段の２つの技術を用いて、皿の配置時や皿の取り出し時に、使用者の使用しやすい水平方向の食器置き２ｊ（２）の高さや縦方向の食器置き２１ｊ（２１）の長さを選択し設定することを可能にする。
【０１７１】
図３６の（３６−イ）は、図３３に関しており、洗浄槽のふたの開放動作Ｇが連動部３ｑ９を介して水平方向の食器置き２ｊ（２）の上下動Ｉ［上昇動は図３３の（３３−ア）〜（３３−イ）参照。下降動は図３３の（３３−イ）〜（３３−ウ）参照］に作用する事を示す。
【０１７２】
図３７は、実施例４のその他の実施例であり、図２７の食器置きに、皿の配置をし易く皿の取り出しをし易くする為に、縦方向の食器置き２１ｋ（２１）を左右に傾ける手段を付与した食器洗浄装置１００ｋ（１００）の概要を示す。
図３７の（３７−ア）は、洗浄対象物８を配置する前を示し、縦方向の食器置き２１ｋ（２１）が左方向に傾斜している事を示す。
図３７の（３７−イ）は、洗浄対象物８を配置時を示し、皿の配置にともない縦方向の食器置き２１ｋ（２１）を順次右方向に傾斜させている事を示す。
【０１７３】
図例では、縦方向の食器置き２１ｋ（２１）を左方向から右方向に傾斜させているが、右方向から左方向に傾斜さてもよい。
或は、洗浄対象物８の配置時に縦方向の食器置き２１ｋ（２１）の傾斜方向を変えず、皿を縦方向の食器置き２１ｋ（２１）の配置面に滑らして挿入する手段が可能であり、この手段は、縦方向の食器置き２１ｋ（２１）、水平方向の食器置き２ｋ（２）の洗浄対象物が接する面に円滑材、緩衝材、円滑構造、緩衝構造を設けることにより、配置を安全に容易にする。
更に、この実施例に、洗浄対象物を配置し易くする為に、水平方向の食器置き２ｋ（２）を上下動する手段（図２８参照）を併設することが可能である。
【０１７４】
図３８は、図３７の縦方向の食器置き２１ｋ（２１）を傾斜させる為の技術の詳細について示し、図３８の（３８−ア）は、水平方向の食器置き２ｋ（２）の主要部の一部を示す平面図であり、図３８の（３８−イ）は、水平方向の食器置き２ｋ（２）に設けた縦方向の食器置き２１ｋ（２１）の主要部の一部を示す立面図である。
【０１７５】
図３８の（３８−ア）は、縦方向の食器置き２１ｋ（２１）を傾斜させる為に、縦方向の食器置き２１ｋ（２１）の接続挿入部（図３１の図中の２１ｊ３参照）を挿入する為の水平方向の食器置き２ｋ（２）に設けた食器置き止め３ｋ（３）の接続挿入口３ｋ３を回転可能に設けている。
例えば、食器置き止め３ｋ（３）の接続挿入口３ｋ３を設けた水平方向の食器置き２ｋ（２）の骨格２ｋ１ａを細径の軸として、水平方向の食器置き２ｋ（２）の前後に伸びる骨格２ｋ１ｂを太径の軸受けとして、食器置き止め３ｋ（３）を設けた骨格２ｋ１ａを回転可能にしている。
【０１７６】
図３８の（３８−イ）は、更に、この各骨格２ｋ１ｂの下部に、水平方向の食器置き２ｋ（２）に設置した縦方向の食器置き２１ｋ（２１）の骨格２１ｋ１と同じ角度で傾斜する振り棒２ｋ８を設け、更にこの振り棒２ｋ８をはさみ振り棒２ｋ８の振り幅を決定する振り幅調節部２ｋ９を設けている。
振り幅調節部２ｋ９を上下に移動して振り棒２ｋ８の振り幅を調節することにより、縦方向の食器置き２１ｋ（２１）の傾斜角度を使用者の扱い易い角度にする。
更に、振り幅調節部２ｋ９を上げ縦方向の食器置き２１ｋ（２１）の傾斜角度を水平方向に倒す事により、洗浄槽１ｋ（１）の高さより、より高い縦方向の食器置き２１ｋ（２１）の設置を可能にする。
同時設定部３ｋ７は、例えば、手動或は電動により上方向に移動させ振り棒２ｋ８をはさみ左右に移動させることにより、一度の操作で各縦方向の食器置き２１ｋ（２１）の傾斜角度を同じに揃える（図示省略）。
【０１７７】
図３９は、例えば、図３７で示した縦方向の食器置き２１、水平方向の食器置き２を備えた食器洗浄装置１００の洗浄槽１の平面スペースを、流し台２００の洗浄槽２０１の平面スペースより広く設けている。
図例では、洗浄槽１ｌ（１）（正面幅Ａ×奥行きＢ×高さＣ＝７０ＣＭ×４５ＣＭ×２０ＣＭ程度）において、
大皿８１（直径２０ＣＭ程度）＝８枚、
小皿８２（直径１０ＣＭ程度）＝８枚、
お椀８３（直径１１ＣＭ程度）＝８個、
湯のみ８４（直径７ＣＭ程度）＝８個、
茶碗８５（直径１２ＣＭ程度）＝８個
を配置できる事を示している。
（図示省略。図２、３、２１、２２の配置参照。）
【０１７８】
更に、食器洗浄装置１００ｌ（１００）の洗浄槽１ｌ（１）の平面スペースを広く設ける事により、洗浄対象物８の配置時の食器置き２、２１の設定を簡略化出来ることを示す。
例えば、図３９では、縦方向の食器置き２１ｌ（２１）への皿８１の配置を（傾斜角度を変える事無く）上方より縦方向の食器置き２１ｌ（２１）の配置面に沿って挿入し、下段の水平方向の食器置き２ｌ（２）に洗浄対象物８を配置後、上段の水平方向の食器置き２ｍ（２）を食器置き止め３ｍ（３）に設定（し洗浄対象物８を配置）するのみである。
更に、水栓２０２を流し台２００の洗浄槽２０１と兼用できる位置に洗浄槽１ｌ（１）を設け、双方の洗浄槽２０１、１ｌ（１）で洗浄可能にして多量の洗浄対象物８の手洗浄を可能にする。
【０１７９】
図４０は、縦方向の食器置き２１のその他の実施例を示し、縦方向の食器置き２１ｎ（２１）を使用しない時は、洗浄槽の端側（図例では、左端側）に寄せ収納し、使用時には、縦方向の食器置き２１ｎ（２１）の設置場所に移動する手段を示している。
詳しくは、縦方向の食器置き２１ｎ（２１）を収納場所と設置場所の間をスムーズに移動する為のガイド３ｎ８を１本或は複数本を洗浄槽１ｎ（１）の側面等に設け、更に、移動した縦方向の食器置き２１ｎ（２１）を配置する洗浄対象物８の厚みに対応して適合する位置を選択できる様に等間隔に食器置き止め３ｎ（３）を設けている。
即ち、縦方向の食器置き２１ｎ（２１）をガイド３ｎ８に沿って移動させ、使用者の選択した設置場所の食器置き止め３ｎ（３）に設置する手段を設けている。
尚、図例では、ガイド３ｎ８と食器置き止め３ｎ（３）を一組にして、上下の２本で示しているが、ガイド３ｎ８と食器置き止め３ｎ（３）を別々に設ける事が可能である。
縦方向の食器置き２１ｎ（２１）の骨格２１ｎ１の洗浄水の供給は、水平方向の食器置き２ｎ（２）を介せず［即ち、水平方向の食器置き２ｎ（２）の設置を必要とせず］、直接、縦方向の食器置き２１ｎ（２１）の骨格２１ｎ１に供給管９９ｎ（９９）を接続する。
【０１８０】
尚、縦方向の食器置き２１ｎ（２１）の収納場所と設置場所に、縦方向の食器置き２１ｎ（２１）が小さな力でズレないようにロック手段を設け、設置や収納を確実にして扱いを容易にすることが可能である。
尚、図例では、２段目より上段の水平方向の食器置き２ｍ（２）を使用しない時は、食器置き収納部９６（図１参照）に収納し、使用時は、食器置き収納部９６より取り出し設置場所に設置し、供給管９９ｎ（９９）にワンタッチ等により接続する手段で示している。
【０１８１】
以上、縦方向の食器置き２１は、図４１で示す縦方向の食器置き２１ｏ（２１）の骨格２１ｏ１の途中に、小皿、お椀、茶碗等を複数段で配置する為のフック、柵、棚２１ｏ８等を設ける手段を可能にする。
図例では、縦方向の食器置き２１の骨格２１ｏ１にフック、柵、棚２１ｏ８等を設け収納し取り出す手段で示しているが、縦方向の食器置き２１からフック、柵、棚２１ｏ８等を取り外し取り付ける等の別手段が可能である。
【０１８２】
更に、縦方向の食器置き２１は、
洗浄スペースの平面方向のどの位置にも設ける事が可能であり、
お椀、茶碗、調理器具、野菜果物等の皿以外の洗浄対象物を配置する事が可能であり、
複数段に設ける事が可能であり、
縦方向の食器置き２１を分割した水平方向の食器置き２に設ける場合は、それぞれの高さが同じでも段差があっても可能であり、
縦方向の食器置き２１を設けた分割した水平方向の食器置き２の大きさは、同じでも異なっても可能であり、
それぞれの縦方向の食器置き２１は、洗浄時間の長・短の切替え、洗浄力の強・弱の切替え、洗浄水の供給方向の上向き・下向き・上下双方の向きの切替え、洗浄水の供給方向の右向き・左向き・右左双方の向きの切替え、洗浄水の供給・吸引の切替え、洗浄の稼働・停止の切替え等、水平方向の食器置き２の要領に準じて、個別やグループ別に洗浄及び乾燥条件を設定、選択、実施する事が可能であり、例えば、ギトギトベタベタの皿とその他のソフトな汚れの洗浄対象物の全ての洗浄対象物を一度に配置しコースとして設定実施することを容易にし、［段落００９５参照、］
図２３、２４で示す回転枠を設け、洗浄水を回転させながら供給させることを可能にし、更に、実施例１〜３で著した水平方向の食器置き２ａ〜２ｇ（２）と同様に、配置する洗浄対象物８の量に応じて、縦方向の食器置き２１の配置場所に縦方向の食器置き２１を設置し、洗浄対象物８の配置の妨げになる場合は、配置場所から収納する手段を備え、縦方向の食器置き２１を常時使用する場合は、縦方向の食器置き２１を設置場所より収納する必要が無く、供給管９９を接続したままでよく、縦方向の食器置き２１の設置の手間を軽減する。
【０１８３】
更に、図１４、１８、１９、２３、２５、２６で示す食器置き２の骨格（２ｅ１等）を右方向から左方向に寄せて短縮して収納しているが、その他の実施例として、食器置き２、２１の骨格（２ｅ１等）を上方向から下方向或は下方向から上方向に寄せて短縮して収納する手段が可能で有り、水平方向の食器置き２として左方向から右方向に伸長し設置する手段が可能であり、縦方向の食器置き２１として下方向から上方向或は上方向から下方向に伸長し設置する手段が可能である。
【０１８４】
更に、水平方向の食器置き２の両脇に、縦方向の食器置き２１の配置面を相対して立てて設け、或は、水平方向の食器置き２の４方を縦方向の食器置き２１の配置面で囲み、この中に、無造作に運んだままのソフトな汚れの食器等の洗浄対象物を配置し、水平方向の食器置き２からは、洗浄水を垂直方向（直角）に供給し、縦方向の食器置き２１からは、洗浄水を水平方向（直角）に供給し洗浄することを可能にする。
【０１８５】
以上、主に縦方向の食器置き２１について著したが、これらの縦方向の食器置き２１は、請求項１、３、５、６、８を示し、水平方向の食器置き２は、請求項２、４、６、７、８を示す。
【０１８６】
以上、本発明に関する食器洗浄装置１００は、緩衝機能、省エネ機能、防臭機能、ぬめり防止機能、ぬめり取り機能、抗菌機能、殺菌機能、タイマー機能、リモコン機能、本体の自動洗浄機能、本体の自動乾燥機能、音声認識により指示を出し実施する機能、その他の各種機能を設ける事が可能である。
更に、其々の実施例は、其々の実施例で示す形態に限定するもので無く、代表例として示すものであり、概しては、相互の実施例に当てはめる事が可能である。
【符号の説明】
【０１８７】
１          洗浄槽
２          水平方向の食器置き
２１        縦方向の食器置き
２ｃ１      骨格
２ｅ１      骨格
２ｇ１      骨格
２ｈ１      骨格
２１ｈ１    骨格
２ｊ１      骨格
２１ｊ１    骨格
２ｋ１ａ    骨格
２ｋ１ｂ    骨格
２１ｋ１    骨格
２１ｎ１    骨格
２１ｏ１    骨格
２１ｑ１    骨格
２１ｒ１    骨格
２１ｓ１    骨格
２ｃ２      ファン
２ｅ２      噴出孔
２ｇ２      噴出孔
２１ｊ２    噴出孔
２ｊ２ａ    噴出孔
２ｊ２      噴出孔
２ｃ３      突起
２ｇ３      回転枠
２１ｊ３    接続挿入部
２１ｊ６    上部固定用アーム
３          食器置き止め
３ａ１      受け台
３ｅ１      突起
３ｇ１      突起
３ａ２      伝動部
３ｂ１      凹み
３ｊ３      接続挿入口
３ｑ３      接続挿入口
３ｊ６      上部固定用突部
３ｑ６      上部固定用突部
３ｎ８      ガイド
３ｑ９      皿の受け止め部
３ｒ９      皿の受け止め部
３ｓ９      皿の受け止め部
２１ｑ１１  突部
２１ｑ１２  凹部
２１ｑ１３  ロック部の凸部
２１ｑ１４  ロック部の凹部
８          洗浄対象物
８１        皿（大皿）
８２        皿（小皿）
８３        お椀
８４        湯のみ
８５        茶碗
８８        皿（８１より更に大きい大皿）
８９        皿（深鉢）
９４        洗浄槽ふた
９９        供給管
１００      食器洗浄装置
２００      流し台
２０１      流し台の洗浄槽
２０２      水栓
３００      後付けの皿立て
【図１】
2020081035.tif 000003
【図２】
2020081035.tif 000004
【図３】
2020081035.tif 000005
【図４】
2020081035.tif 000006
【図５】
2020081035.tif 000007
【図６】
2020081035.tif 000008
【図７】
2020081035.tif 000009
【図８】
2020081035.tif 000010
【図９】
2020081035.tif 000011
【図１０】
2020081035.tif 000012
【図１１】
2020081035.tif 000013
【図１２】
2020081035.tif 000014
【図１３】
2020081035.tif 000015
【図１４】
2020081035.tif 000016
【図１５】
2020081035.tif 000017
【図１６】
2020081035.tif 000018
【図１７】
2020081035.tif 000019
【図１８】
2020081035.tif 000020
【図１９】
2020081035.tif 000021
【図２０】
2020081035.tif 000022
【図２１】
2020081035.tif 000023
【図２２】
2020081035.tif 000024
【図２３】
2020081035.tif 000025
【図２４】
2020081035.tif 000026
【図２５】
2020081035.tif 000027
【図２６】
2020081035.tif 000028
【図２７】
2020081035.tif 000029
【図２８】
2020081035.tif 000030
【図２９】
2020081035.tif 000031
【図３０】
2020081035.tif 000032
【図３１】
2020081035.tif 000033
【図３２】
2020081035.tif 000034
【図３３】
2020081035.tif 000035
【図３４】
2020081035.tif 000036
【図３５】
2020081035.tif 000037
【図３６】
2020081035.tif 000038
【図３７】
2020081035.tif 000039
【図３８】
2020081035.tif 000040
【図３９】
2020081035.tif 000041
【図４０】
2020081035.tif 000042
【図４１】
2020081035.tif 000043